(57)【要約】【課題】  半導体装置の薄型化を図る。【解決手段】  半導体チップ（４）、（５）の夫々は、半導体チップ（４）の他方の長辺（４Ａ２）及び半導体チップ（５）の一方の長辺（５Ａ１）がリード（１０Ｂ）側に向くように夫々の裏面同志を向い合わせた状態で互いに接着固定され、支持リード（８）は、半導体チップ（４）の回路形成面（４Ａ）又は半導体チップ（５）の回路形成面（５Ａ）に接着固定されている。【選択図】      図３
2004158896.tif 000002
【特許請求の範囲】
【請求項１】
樹脂封止体と、
前記樹脂封止体の内部に位置し、平面が方形状で形成され、かつ表裏面のうちの表面の第１辺側にこの第１辺に沿って複数の電極が形成された第１半導体チップ及び第２半導体チップと、
前記樹脂封止体の内外に亘って延在し、前記第１半導体チップの第１辺側に配置され、かつ前記第１半導体チップの各電極に導電性のワイヤを介して夫々電気的に接続される複数の第１リードと、
前記樹脂封止体の内外に亘って延在し、前記第１半導体チップの第１辺と対向する第２辺側に配置され、かつ前記第２半導体チップの各電極に導電性のワイヤを介して夫々電気的に接続される複数の第２リードとを有し、
前記第１半導体チップ、第２半導体チップの夫々は、前記第１半導体チップの第１辺及び前記第２半導体チップの第１辺と対向する第２辺が前記第１リード側に向くように夫々の裏面同志を向い合わせ、かつ前記第１半導体チップの第２辺が前記第２半導体チップの第１辺よりも外側に位置し、前記第２半導体チップの第２辺が前記第１半導体チップの第１辺よりも外側に位置するように夫々の位置をずらした状態で積層され、
前記複数の第１リードの夫々は、前記樹脂封止体の内部に位置するインナー部の先端部分が前記第１半導体チップの第１辺の外側において前記第２半導体チップの裏面に接着固定され、
前記複数の第２リードの夫々は、前記樹脂封止体の内部に位置するインナー部の先端部分が前記第２半導体チップの第１辺の外側において前記第１半導体チップの裏面に接着固定されていることを特徴とする半導体装置。
【請求項２】
樹脂封止体と、
前記樹脂封止体の内部に位置し、平面が方形状で形成され、かつ表裏面のうちの表面の第１辺側にこの第１辺に沿って複数の電極が形成された第１半導体チップ及び第２半導体チップと、
前記樹脂封止体の内外に亘って延在し、前記第１半導体チップの第１辺側に配置され、かつ前記第１半導体チップの各電極に導電性のワイヤを介して夫々電気的に接続される複数の第１リードと、
前記樹脂封止体の内外に亘って延在し、前記第１半導体チップの第１辺と対向する第２辺側に配置され、かつ前記第２半導体チップの各電極に導電性のワイヤを介して夫々電気的に接続される複数の第２リードとを有し、
前記第１半導体チップ、第２半導体チップの夫々は、前記第１半導体チップの第１辺及び前記第２半導体チップの第１辺と対向する第２辺が前記第１リード側に向くように夫々の裏面同志を向い合わせ、かつ前記第１半導体チップの第１辺が前記第２半導体チップの第２辺よりも外側に位置し、前記第２半導体チップの第１辺が前記第１半導体チップの第２辺よりも外側に位置するように夫々の位置をずらした状態で積層され、
前記複数の第１リードの夫々は、前記樹脂封止体の内部に位置するインナー部の先端部分が前記第２半導体チップの第２辺の外側において前記第１半導体チップの裏面に接着固定され、
前記複数の第２リードの夫々は、前記樹脂封止体の内部に位置するインナー部の先端部分が前記第１半導体チップの第２辺の外側において前記第２半導体チップの裏面に接着固定されていることを特徴とする半導体装置。
【請求項３】
樹脂封止体と、
前記樹脂封止体の内部に位置し、平面が方形状で形成され、かつ表裏面のうちの表面の第１辺側にこの第１辺に沿って複数の電極が形成された第１半導体チップ及び第２半導体チップと、
前記樹脂封止体の内外に亘って延在し、前記第１半導体チップの第１辺側に配置され、かつ前記第１半導体チップの各電極に導電性のワイヤを介して夫々電気的に接続される複数の第１リードと、
前記樹脂封止体の内外に亘って延在し、前記第１半導体チップの第１辺と対向する第２辺側に配置され、かつ前記第２半導体チップの各電極に導電性のワイヤを介して夫々電気的に接続される複数の第２リードとを有し、
前記第１半導体チップ、第２半導体チップの夫々は、前記第１半導体チップの第１辺及び前記第２半導体チップの第１辺と対向する第２辺が前記第１リード側に向くように夫々の裏面同志を向い合わせ、かつ前記第１半導体チップの第２辺が前記第２半導体チップの第１辺よりも外側に位置し、前記第２半導体チップの第２辺が前記第１半導体チップの第１辺よりも外側に位置するように夫々の位置をずらした状態で積層され、
前記複数の第１リードの夫々は、前記樹脂封止体の内部に位置するインナー部の先端部分が前記第１半導体チップの第１辺の外側において前記第２半導体チップの裏面に接着固定され、
前記複数の第２リードの夫々は、前記樹脂封止体の内部に位置するインナー部の先端部分が前記第１半導体チップの表面においてその第２辺側に接着固定されていることを特徴とする半導体装置。
【請求項４】
請求項１乃至請求項３のうち何れか一項に記載の半導体装置において、
前記第１半導体チップ、第２半導体チップの夫々の裏面は、互いに接していることを特徴とする半導体装置。
【請求項５】
請求項１乃至請求項３のうち何れか一項に記載の半導体装置において、
前記第１半導体チップ、第２半導体チップの夫々の裏面は、接着層を介在して互いに接着固定されていることを特徴とする半導体装置。
【請求項６】
請求項１乃至請求項３のうち何れか一項に記載の半導体装置において、
前記ワイヤが接続される第１リードのワイヤ接続面は、前記第１半導体チップの表面よりも前記第２半導体チップ側に位置し、
前記ワイヤが接続される第２リードのワイヤ接続面は、前記第２半導体チップの表面よりも前記第１半導体チップ側に位置していることを特徴とする半導体装置。
【請求項７】
請求項１に記載の半導体装置において、
前記第１リードのインナー部は、前記第２半導体チップの裏面の辺を横切ってその裏面に接着固定される第１部分と、この第１部分から前記第１半導体チップの表面側に折れ曲がる第２部分と、この第２部分から前記第１部分と同一方向に延びる第３部分とを有する構成になっており、
前記第２リードのインナー部は、前記第１半導体チップの裏面の辺を横切ってその裏面に固定される第１部分と、この第１部分から前記第１半導体チップの表面側に折れ曲がる第２部分と、この第２部分から前記第１部分と同一方向に延びる第３部分とを有する構成になっていることを特徴とする半導体装置。
【請求項８】
請求項２に記載の半導体装置において、
前記第１リードのインナー部は、前記第１半導体チップの裏面の辺を横切ってその裏面に接着固定される第１部分と、この第１部分から前記第１半導体チップの表面側に折れ曲がる第２部分と、この第２部分から前記第１部分と同一方向に延びる第３部分とを有する構成になっており、
前記第２リードのインナー部は、前記第２半導体チップの裏面の辺を横切ってその裏面に固定される第１部分と、この第１部分から前記第１半導体チップの表面側に折れ曲がる第２部分と、この第２部分から前記第１部分と同一方向に延びる第３部分とを有する構成になっていることを特徴とする半導体装置。
【請求項９】
請求項３に記載の半導体装置において、
前記第１リードのインナー部は、前記第２半導体チップの裏面の辺を横切ってその裏面に接着固定される第１部分と、この第１部分から前記第１半導体チップの表面側に折れ曲がる第２部分と、この第２部分から前記第１部分と同一方向に延びる第３部分とを有する構成になっており、
前記第２リードのインナー部は、前記第１半導体チップの第２辺を横切ってその表面に接着固定される第１部分と、この第１部分から前記第１半導体チップの裏面側に折れ曲がる第２部分と、この第２部分から前記第１部分と同一方向に延びる第３部分とを有する構成になっていることを特徴とする半導体装置。
【請求項１０】
樹脂封止体と、
前記樹脂封止体の内部に位置し、平面が方形状で形成され、かつ表裏面のうちの表面の第１辺側にこの第１辺に沿って複数の電極が形成された第１半導体チップ及び第２半導体チップと、
前記樹脂封止体の内外に亘って延在し、前記第１半導体チップの第１辺側に配置され、かつ前記第１半導体チップの各電極に導電性のワイヤを介して夫々電気的に接続される複数の第１リードと、
前記樹脂封止体の内外に亘って延在し、前記第１半導体チップの第１辺と対向する第２辺側に配置され、かつ前記第２半導体チップの各電極に導電性のワイヤを介して夫々電気的に接続される複数の第２リードとを有し、
前記第１半導体チップ、第２半導体チップの夫々は、前記第１半導体チップの第１辺及び前記第２半導体チップの第１辺と対向する第２辺が前記第１リード側に向くように前記第１半導体チップの裏面と前記第２半導体チップの表面とを向い合わせ、かつ前記第１半導体チップの第１辺が前記第２半導体チップの第２辺よりも外側に位置し、前記第２半導体チップの第１辺が前記第１半導体チップの第２辺よりも外側に位置するように夫々の位置をずらした状態で積層され、
前記複数の第１リードの夫々は、前記樹脂封止体の内部に位置するインナー部の先端部分が前記第２半導体チップの第２辺の外側において前記第１半導体チップの裏面に接着固定され、
前記複数の第２リードの夫々は、前記樹脂封止体の内部に位置するインナー部の先端部分が前記第２半導体チップの第１辺側においてその裏面に接着固定されていることを特徴とする半導体装置。
【請求項１１】
請求項１０に記載の半導体装置において、
前記第１半導体チップの裏面と前記第２半導体チップの表面は、互いに接していることを特徴とする半導体装置。
【請求項１２】
請求項１０に記載の半導体装置において、
前記第１半導体チップの裏面と前記第２半導体チップの表面は、接着層を介在して互いに接着固定されていることを特徴とする半導体装置。
【請求項１３】
請求項１０に記載の半導体装置において、
前記第１リードのインナー部は、前記第１半導体チップの裏面の辺を横切ってその裏面に接着固定される第１部分と、この第１部分から前記第１半導体チップの表面側に折れ曲がる第２部分と、この第２部分から前記第１部分と同一方向に延びる第３部分とを有する構成になっており、
前記第２リードのインナー部は、前記第２半導体チップの裏面の辺を横切ってその裏面に固定される第１部分と、この第１部分から前記第１半導体チップの表面側に折れ曲がる第２部分と、この第２部分から前記第１部分と同一方向に延びる第３部分とを有する構成になっていることを特徴とする半導体装置。
【発明の詳細な説明】
【技術分野】
【０００１】
本発明は、半導体装置に関し、特に、二つの半導体チップを積層し、この二つの半導体チップを一つの樹脂封止体で封止する半導体装置に適用して有効な技術に関するものである。
【背景技術】
【０００２】
記憶回路システムの大容量化を図る目的として、記憶回路システムが構成された二つの半導体チップを積層し、この二つの半導体チップを一つの樹脂封止体で封止する積層型半導体装置が提案されている。例えば、特開平７−５８２８１号公報にはＬＯＣ（Ｌead Ｏn Ｃhip)構造の積層型半導体装置が開示されている。また、特開平４−３０２１６５号公報にはタブ構造の積層型半導体装置が開示されている。
【０００３】
ＬＯＣ構造の積層型半導体装置は、表裏面（互いに対向する一主面及び他の主面）のうちの表面（一主面）である回路形成面に複数の電極が形成された第１半導体チップ及び第２半導体チップと、第１半導体チップの回路形成面に絶縁性フィルムを介在して接着固定されると共に、その回路形成面の電極に導電性のワイヤを介して電気的に接続される複数の第１リードと、第２半導体チップの回路形成面に絶縁性フィルムを介在して接着固定されると共に、その回路形成面の電極に導電性のワイヤを介して電気的に接続される複数の第２リードと、第１半導体チップ、第２半導体チップ、第１リードのインナー部、第２リードのインナー部及びワイヤ等を封止する樹脂封止体とを有する構成になっている。第１半導体チップ、第２半導体チップの夫々は、夫々の回路形成面を互いに対向させた状態で積層されている。第１リード、第２リードの夫々は、夫々の接続部を互いに重ね合わせた状態で接合されている。
【０００４】
タブ構造の積層型半導体装置は、タブ（ダイパッドとも言う）の表裏面（互いに対向する一主面及び他の主面）のうちの表面（一主面）に接着層を介して固定される第１半導体チップと、タブの裏面（他の主面）に接着層を介して固定される第２半導体チップと、第１半導体チップ、第２半導体チップのうち何れか一方の半導体チップの電極に導電性のワイヤを介して電気的に接続される複数の専用リードと、第１半導体チップ、第２半導体チップの夫々の電極に導電性のワイヤを介して電気的に接続される複数の共用リードと、第１半導体チップ、第２半導体チップ、専用リードのインナー部、共用リードのインナー部及びワイヤ等を封止する樹脂封止体とを有する構成になっている。第１半導体チップ、第２半導体チップの夫々の電極は、回路形成面において互いに対向する二つの長辺側に夫々の長辺に沿って形成されている。専用リード、共用リードの夫々は、半導体チップの二つの長辺の夫々の外側に配置されている。
【０００５】
【特許文献１】特開平７−５８２８１号公報
【特許文献２】特開平４−３０２１６５号公報
【発明の開示】
【発明が解決しようとする課題】
【０００６】
本発明者等は、積層型半導体装置の開発に先立ち、以下の問題点に直面した。
【０００７】
ＬＯＣ構造では二枚のリードフレームを用いて製造するため、製造コストが高くなる。一方、タブ構造では一枚のリードフレームで製造することができるが、ミラー反転回路パターンの半導体チップを用いる必要があるため、タブ構造においても製造コストが高くなる。タブ構造では、タブの表裏面に夫々の裏面が向い合うようにして二つの半導体チップを搭載するため、回路形成面の互いに対向する二つの長辺の夫々の辺側に電極を形成する場合、上側の半導体チップの電極に対して下側の半導体チップの電極が左右逆になる。
【０００８】
そこで、一辺側に電極が形成された二つの半導体チップを使用し、一方の半導体チップの一辺側が他方の半導体チップの一辺側に対して反対側に位置するように二つの半導体チップをタブの表裏面に搭載することにより、ミラー反転回路パターンの半導体チップが不要になるので、タブ構造における製造コストの低減化を図ることができる。
【０００９】
しかしながら、タブ構造では樹脂封止体の厚さが厚くなり、樹脂封止体の厚さが１．０〜１．１［ｍｍ］厚のＴＳＯＰ(Ｔhin Ｓmall Ｏutline Ｐackage)型で積層型半導体装置を構成することが困難である。即ち、タブ構造では、タブの表面及び裏面に半導体チップを搭載する構成になっていることから、上側の半導体チップと下側の半導体チップとの間にタブが存在し、上側の半導体チップの回路形成面から下側の半導体チップの回路形成面までの距離が増加するので、樹脂封止体の厚さが厚くなる。更に、タブの表面及び裏面に半導体チップを搭載する構成になっていることから、上側の半導体チップと下側の半導体チップとの間に二つの接着層が存在し、上側の半導体チップの回路形成面から下側の半導体チップの回路形成面までの距離が増加するので、樹脂封止体の厚さが厚くなる。本発明者等の検討によれば、半導体チップの厚さを０．１７２５〜０．２［ｍｍ］に薄くすることにより、樹脂封止体の厚さを１．０〜１．１［ｍｍ］以下にすることができるが、このような場合、半導体チップの機械的強度が低下するので、半導体チップに亀裂、破損等の不具合が発生し易くなる。特に、半導体ウエーハを複数のチップに分割するダイシング工程時や、タブに半導体チップを搭載するダイボンディング工程時に多発する。
【００１０】
また、タブ構造では、半導体チップの電極とワイヤとの接続不良が発生し易い。即ち、タブの表面及び裏面に半導体チップを搭載した後ではタブをヒートステージに接触させることが困難であるため、ヒートステージの熱が有効に伝達されず、半導体チップの電極とワイヤとの接続不良が発生し易い。
【００１１】
本発明の目的は、二つの半導体チップを積層し、この二つの半導体チップを一つの樹脂封止体で封止する半導体装置の薄型化を図ることが可能な技術を提供することにある。
【００１２】
また、前記半導体装置の歩留まりを高めることが可能な技術を提供することにある。
【００１３】
本発明の前記ならびにその他の目的と新規な特徴は、本明細書の記述及び添付図面によって明らかになるであろう。
【課題を解決するための手段】
【００１４】
本願において開示される発明のうち、代表的なものの概要を簡単に説明すれば、下記のとおりである。
（１）樹脂封止体と、前記樹脂封止体の内部に位置し、平面が方形状で形成され、かつ表裏面のうちの表面においてその第１辺側にこの第１辺に沿って複数の電極が形成された第１半導体チップ及び第２半導体チップと、前記樹脂封止体の内外に亘って延在し、前記第１半導体チップの第１辺の外側に配置され、かつ前記第１半導体チップの各電極に導電性のワイヤを介して電気的に接続される複数の第１リードと、前記樹脂封止体の内外に亘って延在し、前記第１半導体チップの第１辺と対向する第２辺の外側に配置され、かつ前記第２半導体チップの各電極に導電性のワイヤを介して電気的に接続される複数の第２リードと、前記第１半導体チップ及び前記第２半導体チップを支持する支持リードとを有する半導体装置であって、
前記第１半導体チップ、第２半導体チップの夫々は、前記第１半導体チップの第２辺及び前記第２半導体チップの第１辺が前記第２リード側に向くように夫々の裏面同志を向い合わせた状態で互いに接着固定され、
前記支持リードは、前記第１半導体チップの表面又は前記第２半導体チップの表面に接着固定されている。
【００１５】
（２）前記手段（１）に記載の半導体装置において、前記第１半導体チップ、第２半導体チップの夫々は、前記第１半導体チップの電極が前記第２半導体チップの第１辺と対向する第２辺よりもその外側に位置し、前記第２半導体チップの電極が前記第１半導体チップの第２辺よりもその外側に位置するように夫々の位置をずらした状態で接着固定されている。
【００１６】
（３）前記手段（２）に記載の半導体装置において、前記第１半導体チップ、第２半導体チップの夫々は、前記第１半導体チップの第１辺と交わる第３辺がこの第３辺と同一側であって前記第２半導体チップの第１辺と交わる第３辺よりもその外側に位置し、前記第２半導体チップの第３辺と対向する第４辺がこの第４辺と同一側であって前記第１半導体チップの第３辺と対向する第４辺よりもその外側に位置するように夫々の位置をずらした状態で接着固定されている。
【００１７】
上述した手段（１）によれば、第１半導体チップと第２半導体チップとの間にはタブが存在しないので、第１半導体チップの表面から第２半導体チップの表面までの距離を縮小することができる。また、第１半導体チップと第２半導体チップとの間には一つの接着層しか存在しないので、第１半導体チップの表面から第２半導体チップの表面までの距離を縮小することができる。また、支持リードは第１半導体チップの表面又は第２半導体チップの表面に接着固定されているので、支持リードの厚さはワイヤのループ高さで相殺され、支持リードによる樹脂封止体の厚さへの影響はない。この結果、樹脂封止体の厚さを薄くすることができるので、半導体装置の薄型化を図ることができる。
【００１８】
上述した手段（２）によれば、ワイヤボンディング工程において、第１半導体チップの電極と対向する裏面の領域をヒートステージに直に接触させることができ、ヒートステージの熱が第１半導体チップの電極に有効に伝達されるので、第１半導体チップの電極とワイヤとの接続不良を低減することができる。また、第２半導体チップの電極と対向する裏面の領域をヒートステージに直に接触させることができ、ヒートステージの熱が第２半導体チップの電極に有効に伝達されるので、第１半導体チップの電極とワイヤとの接続不良を低減することができる。この結果、半導体装置の歩留まりを高めることができる。
【００１９】
上述した手段（３）によれば、ワイヤボンディング工程において、第１半導体チップの裏面とヒートステージとの接触面積が増加するので、ワイヤボンディング工程における第２半導体チップの加熱時間を短縮することができる。また、第２半導体チップの裏面とヒートステージとの接触面積が増加するので、ワイヤボンディング工程における第２半導体チップの加熱時間を短縮することができる。この結果、半導体装置の生産効率を高めることができる。
【発明の効果】
【００２０】
本願において開示される発明のうち代表的なものによって得られる効果を簡単に説明すれば、下記のとおりである。
【００２１】
本発明によれば、二つの半導体チップを積層し、この二つの半導体チップを一つの樹脂封止体で封止する半導体装置の薄型化を図ることができる。
【００２２】
また、本発明によれば、前記半導体装置の歩留まりを高めることができる。
【発明を実施するための最良の形態】
【００２３】
以下、図面を参照して本発明の実施の形態を詳細に説明する。なお、発明の実施の形態を説明するための全図において、同一機能を有するものは同一符号を付け、その繰り返しの説明は省略する。
【００２４】
（実施形態１）
本実施形態では、二方向リード配列構造であるＴＳＯＰ型の半導体装置に本発明を適用した例について説明する。
【００２５】
第１図は本発明の実施形態１である半導体装置の樹脂封止体の上部を除去した状態の平面図であり、第２図は前記半導体装置の樹脂封止体の下部を除去した状態の底面図であり、第３図は第１図のＡ−Ａ線に沿う断面図であり、第４図は第１図のＢ−Ｂ線に沿う断面図である。なお、第１図及び第２図において、第１図に示す左側のリード群は第２図に示す右側のリード群と対応し、第１図に示す右側のリード群は第２図に示す左側のリード群と対応する。
【００２６】
第１図、第２図及び第３図に示すように、本実施形態の半導体装置１は、半導体チップ４、半導体チップ５の夫々を上下に積層し、この半導体チップ４及び５を一つの樹脂封止体１２で封止した構成になっている。半導体チップ４、５の夫々は、夫々の表裏面（互いに対向する一主面及び他の主面）のうちの裏面同志（他の主面同志）を向い合わせた状態で積層されている。
【００２７】
半導体チップ４、５の夫々は同一の外形寸法で形成されている。また、半導体チップ４、５の夫々の平面形状は方形状で形成され、本実施形態においては例えば長方形で形成されている。
【００２８】
半導体チップ４、５の夫々は、例えば、単結晶珪素からなる半導体基板及びこの半導体基板上に形成された多層配線層を主体とする構成になっている。この半導体チップ４、５の夫々には、記憶回路システムとして、例えばフラッシュメモリと呼称される６４メガビットのＥＥＰＲＯＭ（Ｅlectrically Ｅrasable Ｐrogrammable Ｒead Ｏnly Ｍemory)が構成されている。
【００２９】
半導体チップ４の表裏面（互いに対向する一主面及び他の主面）のうちの表面（一主面）である回路形成面４Ａにおいて、その互いに対向する二つの長辺のうちの一方の長辺４Ａ１側には、この一方の長辺４Ａ１に沿って複数の電極（ボンディングパッド）６が形成されている（第１図及び第３図参照）。この複数の電極６の夫々は、半導体チップ４の多層配線層のうちの最上層の配線層に形成されている。最上層の配線層はその上層に形成された表面保護膜（最終保護膜）で被覆され、この表面保護膜には電極６の表面を露出するボンディング開口が形成されている。
【００３０】
半導体チップ５の表裏面（互いに対向する一主面及び他の主面）のうちの表面（一主面）である回路形成面５Ａにおいて、その互いに対向する二つの長辺のうちの一方の長辺５Ａ１側には、この一方の長辺５Ａ１に沿って複数の電極６が形成されている（第２図及び第３図参照）。この複数の電極６の夫々は、半導体チップ５の多層配線層のうちの最上層の配線層に形成されている。最上層の配線層はその上層に形成された表面保護膜（最終保護膜）で被覆され、この表面保護膜には電極６の表面を露出するボンディング開口が形成されている。
【００３１】
半導体チップ４に構成されたフラッシュメモリの回路パターンは、半導体チップ５に構成されたフラッシュメモリの回路パターンと同一になっている。また、半導体チップ４の回路形成面４Ａに形成された電極６の配置パターンは、半導体チップ５の回路形成面５Ａに形成された電極６の配置パターンと同一になっている。即ち、半導体チップ４、半導体チップ５の夫々は、同一構造で構成されている。
【００３２】
樹脂封止体１２の平面形状は方形状で形成され、本実施形態においては例えば長方形で形成されている。この樹脂封止体１２の互いに対向する二つの長辺のうちの一方の長辺側にはこの一方の長辺に沿って複数のリード１０Ａが配列され、他方の長辺側にはこの他方の長辺に沿って複数のリード１０Ｂが配列されている。複数のリード１０Ａの夫々は、樹脂封止体１２の内外に亘って延在し、半導体チップ４の長辺４Ａ１の外側に配置され、かつ半導体チップ４の各電極６に導電性のワイヤ１１を介して電気的に接続されている（第１図及び第３図参照）。複数のリード１０Ｂの夫々は、樹脂封止体１２の内外に亘って延在し、半導体チップ４の長辺４Ａ１と対向する他の長辺４Ａ２の外側に配置され、かつ半導体チップ５の各電極６に導電性のワイヤ１１を介して電気的に接続されている（第２図及び第３図参照）。
【００３３】
複数のリード１０Ａ、１０Ｂの夫々には端子名が付されている。ＶＣＣ端子は電源電位（例えば５［Ｖ］）に電位固定される電源電位端子である。ＶＳＳ端子は基準電位（例えば０［Ｖ］）に電位固定される基準電位端子である。Ｉ／Ｏ０端子〜Ｉ／Ｏ７端子はデータ入出力端子である。ＲＥＳ端子はリセット端子である。Ｒ／Ｂ端子はリーディ／ビズィ端子である。ＣＤＥ端子はコマンド・データ・イネーブル端子である。ＯＥ端子は出力イネーブル端子である。ＳＣ端子はシリアル・クロック端子である。ＷＥはライト・イネーブル端子である。ＣＥはチップ・イネーブル端子である。ＮＣ端子は空き端子である。
【００３４】
半導体チップ４、５の夫々は、半導体チップ４の他方の長辺４Ａ２及び半導体チップ５の一方の長辺５Ａ１がリード１０Ｂ側に向く（位置する）ように夫々の裏面同志を向い合わせた状態で接着層７を介在して互いに接着固定されている。即ち、半導体チップ４、５の夫々は、電極６が配列された夫々の辺が反対側に位置するように、夫々の裏面同志を向い合わせた状態で互いに接着固定されている。また、半導体チップ４、５の夫々は支持リード８に支持されている。支持リード８は、半導体チップ４の回路形成面４Ａに接着層９を介在して接着固定されている。
【００３５】
このことから、半導体チップ４と半導体チップ５との間にはタブが存在しないので、半導体チップ４の回路形成面４Ａから半導体チップ５の回路形成面５Ａまでの距離を縮小することができる。また、半導体チップ４と半導体チップ５との間には一つの接着層しか存在しないので、半導体チップ４の回路形成面４Ａから半導体チップ５の回路形成面５Ａまでの距離を縮小することができる。また、支持リード８は半導体チップ４の回路形成面４Ａに接着固定されているので、支持リード８の厚さは半導体チップ４の電極６とリード１０Ａとを電気的に接続するワイヤ１１のループ高さで相殺され、支持リード８による樹脂封止体１２の厚さへの影響はない。
【００３６】
半導体チップ４、５の夫々は、半導体チップ４の電極６が半導体チップ５の一方の長辺５Ａ１と対向する他方の長辺５Ａ２よりもその外側に位置し、半導体チップ５の電極６が半導体チップ４の他方の長辺４Ａ２よりもその外側に位置するように夫々の位置をずらした状態で接着固定されている。即ち、半導体チップ４、半導体チップ５の夫々は、電極６の配列方向に対して直行する方向に夫々の位置をずらした状態で接着固定されている。
【００３７】
リード１０Ａ及びリード１０Ｂは、樹脂封止体１２で封止されるインナー部（内部リード部）と樹脂封止体１２の外部に導出されるアウター部（外部リード部）とで構成され、アウター部は面実装型形状として例えばガルウィング形状に成形されている。
【００３８】
導電性のワイヤ１１としては例えば金（Ａｕ）ワイヤが用いられている。ワイヤ１１の接続方法としては、例えば熱圧着に超音波振動を併用したボンディング法を用いている。
【００３９】
樹脂封止体１２は、低応力化を図る目的として、例えば、フェノール系硬化剤、シリコーンゴム及びフィラー等が添加されたビフェニール系の樹脂で形成されている。この樹脂封止体１２は、大量生産に好適なトランスファモールディング法で形成されている。トランスファモールディング法は、ポット、ランナー、流入ゲート及びキャビティ等を備えたモールド金型を使用し、ポットからランナー及び流入ゲートを通してキャビティ内に樹脂を加圧注入して樹脂封止体を形成する方法である。
【００４０】
第３図において、半導体チップ４、５の夫々厚さは０．２４［ｍｍ］であり、接着層７の厚さは０．０１［ｍｍ］であり、リード１０Ａ及び１０Ｂの厚さは０．１２５［ｍｍ］であり、半導体チップ４の回路形成面４Ａからこの半導体チップ４の電極６とリード１０Ａとを電気的に接続するワイヤ１１の頂部までの高さ（ループ高さ）は０．１９［ｍｍ］であり、このワイヤ１１の頂部から樹脂封止体１１の上面までの間隔は０．０６５［ｍｍ］であり、樹脂封止体１２の厚さは１．０［ｍｍ］であり、樹脂封止体１２上面からリード（１０Ａ，１０Ｂ）の実装面までの高さは１．２０である。なお、図示していないが、半導体チップ５の回路形成面５Ａからこの半導体チップ５の電極６とリード１０Ｂとを電気的に接続するワイヤ１１の頂部までの高さは０．１９［ｍｍ］であり、このワイヤ１１の頂部から樹脂封止体１１の下面までの間隔は０．０６５［ｍｍ］である。
【００４１】
支持リード（吊りリード）８の上面はワイヤ１１の頂部よりも低くなっている。支持リード８は、第４図に示すように、半導体チップ４の互いに対向する二つの短辺４Ａ３及び４Ａ４を横切るように延在している。なお、第４図において、符号５Ａ３は半導体チップ５の互いに対向する二つの短辺のうちの一方の短辺であり、符号５Ａ４は他方の短辺である。
【００４２】
次に、半導体装置１の製造プロセスで用いられるリードフレームについて、第５図を用いて説明する。第５図はリードフレームの平面図である。なお、実際のリードフレームは複数の半導体装置を製造できるように多連構造になっているが、図面を見易くするため、第５図は一つの半導体装置が製造される一個分の領域を示している。
【００４３】
第５図に示すように、リードフレームＬＦ１は、枠体１４で規定された領域内に、複数のリード１０Ａ、複数のリード１０Ｂ、支持リード８等を配置した構成になっている。複数のリード１０Ａは、枠体１４の互いに対向する二つの長辺部分のうちの一方の長辺部分に沿って配列され、この一方の長辺部分と一体化されている。複数のリード１０Ｂは、枠体１４の互いに対向する二つの長辺部分のうちの他方の長辺部分に沿って配列され、この他方の長辺部分と一体化されている。支持リード８は、複数のリード１０Ａからなるリード群と、複数のリード１０Ｂからなるリード群との間に配置され、枠体１４と一体化されている。即ち、リードフレームＬＦ１は、二方向リード配列構造になっている。
【００４４】
複数のリード１０Ａの夫々は、樹脂封止体に封止されるインナー部と樹脂封止体の外部に導出されるアウター部とで構成され、タイバー１３を介して互いに連結されている。複数のリード１０Ｂの夫々は、樹脂封止体に封止されるインナー部と樹脂封止体の外部に導出されるアウター部とで構成され、タイバー１３を介して互いに連結されている。
【００４５】
リードフレームＬＦ１は、例えば鉄（Ｆｅ）−ニッケル（Ｎｉ）系の合金又は銅（Ｃｕ）若しくは銅系の合金からなる平板材にエッチング加工又はプレス加工を施して所定のリードパターンを形成することによって形成される。
【００４６】
次に、半導体装置１の製造方法について、第６図乃至第９図（断面図）を用いて説明する。
【００４７】
まず、リードフレームＬＦ１に一方の半導体チップ４を接着固定する。リードフレームＬＦ１と半導体チップ４との固定は、第６図に示すように、ヒートステージ２０に半導体チップ４を装着し、その後、半導体チップ４の回路形成面４Ａに例えば熱硬化性樹脂からなる接着剤を塗布して接着層９を形成し、その後、半導体チップ４の回路形成面４Ａに支持リード８をボンディングツール２１で圧着することによって行われる。
【００４８】
次に、半導体チップ４の電極６とリード１０Ａとを導電性のワイヤ１１で電気的に接続する。半導体チップ４の電極６とリード１０Ａとの接続は、第７図に示すように、ヒートステージ２２に半導体チップ４を装着し、その後、ヒートステージ２２にリード１０Ａ及びリード１０Ｂをフレーム押さえ部材２３で押さえ付けた状態で行なわれる。ワイヤ１１としては例えばＡｕワイヤを用いる。また、ワイヤ１１の接続方法としては例えば熱圧着に超音波振動を併用したボンディング法を用いる。
【００４９】
次に、半導体チップ４に半導体チップ５を接着固定する。半導体チップ４と半導体チップ５との固定は、第８図に示すように、ヒートステージ２３に半導体チップ４をその回路形成面４Ａを下にして装着し、その後、半導体チップ４の裏面に例えばＡｇペースト材からなる接着剤を塗布して接着層７を形成し、その後、半導体チップ４の裏面上に半導体チップ５をその裏面を下にして装着することによって行なわれる。この時、半導体チップ４の一方の長辺４Ａ１に対して半導体チップ５の一方の長辺５Ａ１が反対側に位置するように向きを揃えた状態で半導体チップ４、半導体チップ５の夫々の裏面同志を向い合わせて接着固定する。また、半導体チップ４の電極６が半導体チップ５の他方の長辺５Ａ２よりもその外側に位置し、半導体チップ５の電極６が半導体チップ４の他方の長辺４Ａ２よりもその外側に位置するように位置をずらした状態で半導体チップ４、半導体チップ５の夫々の裏面同志を向い合わせて接着固定する。なお、この工程において、半導体チップ４はその回路形成面４Ａを下にした状態でヒートステージ２３に装着されるので、ヒートステージ２３とワイヤ１１との接触を防止するため、ヒートステージ２３には窪み２３Ａが設けられている。
【００５０】
次に、半導体チップ５の電極６とリード１０Ｂとを導電性のワイヤ１１で電気的に接続する。半導体チップ５の電極６とリード１０Ｂとの接続は、第９図に示すように、半導体チップ５の回路形成面５Ａを上向きにしてヒートステージ２４に半導体チップ４及び半導体チップ５を装着し、その後、ヒートステージ２４にリード１０Ａ及びリード１０Ｂをフレーム押さえ部材２５で押えつけた状態で行なわれる。ワイヤ１１としては例えばＡｕワイヤを用いる。また、ワイヤ１１の接続方法としては例えば熱圧着に超音波振動を併用したボンディング法を用いる。この工程において、半導体チップ５の電極６と対向する裏面の領域が露出しているので、この裏面の領域に接触するように突出部２５Ｂをヒートステージ２４に設けておくことにより、半導体チップ５の電極６と対向する裏面の領域をヒートステージ２４に直に接触させることができる。即ち、半導体チップ４の電極６が半導体チップ５の他方の長辺５Ａ２よりもその外側に位置し、半導体チップ５の電極６が半導体チップ４の他方の長辺４Ａ２よりもその外側に位置するように位置をずらした状態で半導体チップ４、半導体チップ５の夫々の裏面同志を接着固定することにより、半導体チップ５の電極６と対向する裏面の領域をヒートステージ２４に直に接触させることができ、ヒートステージ２４の熱が半導体チップ５の電極６に有効に伝達されるので、半導体チップ５の電極６とワイヤ１１との接続不良を低減することができる。なお、この工程において、半導体チップ４はその回路形成面４Ａを下にした状態でヒートステージ２４に装着されるので、ヒートステージ２４とワイヤ１１との接触を防止するため、ヒートステージ２４には窪み２４Ａが設けられている。
【００５１】
次に、半導体チップ４、半導体チップ５、支持リード８、リード１０Ａのインナー部、リード１０Ｂのインナー部及びワイヤ１１等を樹脂で封止して樹脂封止体１２を形成する。樹脂封止体１２の形成はトランスファモールディング法で行う。
【００５２】
次に、リード１０Ａに連結されたタイバー１３及びリード１０Ｂに連結されたタイバー１３を切断し、その後、リード１０Ａ、リード１０Ｂの夫々のアウター部にメッキ処理を施し、その後、リードフレームＬＦ１の枠体１４からリード１０Ａ及び１０Ｂを切断し、その後、リード１０Ａ、１０Ｂの夫々のアウター部を面実装型形状として例えばガルウィング形状に成形し、その後、リードフレームＬＦ１の枠体１４から支持リード８を切断することにより、第１図、第２図及び第３図に示す半導体装置１がほぼ完成する。
【００５３】
このようにして構成された半導体装置１は、第１０図（要部断面図）に示すように、１つの回路システムを構成する電子装置の構成部品として実装基板３０に複数個実装される。半導体装置１は、同一機能のリードが対向して配置されているので、リード１０Ａとリード１０Ｂとを電気的に接続するための配線３１を直線的に引き回すことができる。また、半導体装置１のリード１０Ｂと他の半導体装置１のリード１０Ａとを電気的に接続するための配線３１を直線的に引き回すことができる。従って、実装基板３０の配線層数を低減することができるので、電子装置、例えばメモリーモジュール等の薄型化を図ることができる。
【００５４】
以上説明したように、本実施形態によれば以下の効果が得られる。
（１）半導体チップ４、半導体チップ５の夫々は、半導体チップ４の他方の長辺４Ａ２及び半導体チップ５の一方の長辺５Ａ１がリード１０Ｂ側に向くように夫々の裏面同志を向い合わせた状態で互いに接着固定され、支持リード８は半導体チップ４の回路形成面４Ａに接着固定されている。
【００５５】
このことから、半導体チップ４と半導体チップ５との間にはタブが存在しないので、半導体チップ４の回路形成面４Ａから半導体チップ５の回路形成面５Ａまでの距離を縮小することができる。また、半導体チップ４と半導体チップ５との間には一つの接着層しか存在しないので、半導体チップ４の回路形成面４Ａから半導体チップ５の回路形成面５Ａまでの距離を縮小することができる。また、支持リード８は半導体チップ４の回路形成面４Ａに接着固定されているので、支持リード８の厚さはワイヤ１１のループ高さで相殺され、支持リード８による樹脂封止体１２の厚さへの影響はない。この結果、樹脂封止体１２の厚さを薄くすることができるので、半導体装置１の薄型化を図ることができる。
【００５６】
また、半導体チップ（４，５）の厚さを薄くすることなく、樹脂封止体１２の厚さを薄くすることができるので、歩留まりの高い薄型の半導体装置１を提供することができる。
【００５７】
また、樹脂封止体１２の厚さを薄くすることができるので、二つの半導体チップ（４，５）を積層し、この二つの半導体チップを一つの樹脂封止体１２で封止した半導体装置１をＴＳＯＰ型で構成することができる。
【００５８】
また、二枚のリードフレームを使用する必要がなく、更にミラー反転回路パターンの半導体チップを使用する必要がないので、半導体装置１の低コスト化及び薄型化を図ることができる。
【００５９】
（２）半導体チップ４、半導体チップ５の夫々は、半導体チップ４の電極６が半導体チップ５の他方の長辺５Ａ２よりもその外側に位置し、半導体チップ５の電極６が半導体チップ４の他方の長辺４Ａ２よりもその外側に位置するように夫々の位置をずらした状態で接着固定されている。
【００６０】
このことから、ワイヤボンディング工程において、半導体チップ５の電極６と対向する裏面の領域をヒートステージ２４に直に接触させることができ、ヒートステージ２４の熱が半導体チップ５の電極６に有効に伝達されるので、半導体チップ５の電極６とワイヤ１１との接続不良を低減することができる。この結果、半導体装置１の製造プロセス（組立プロセス）における歩留まりを高めることができる。
【００６１】
なお、本実施形態では、半導体チップ４の回路形成面４Ａに支持リード８を接着固定した例について説明したが、支持リード８は、半導体チップ５の回路形成面５Ａに接着固定してもよい。この場合、支持リード８には、そのチップ固定部を半導体チップ５の回路形成面５Ａ側に位置させるための折り曲げ加工が施される。また、このような場合においても、支持リード８の厚さは、半導体チップ５の電極６とリード１０Ｂとを電気的に接続するワイヤ１１のループ高さで相殺されるので、支持リード８による樹脂封止体１２の厚さへの影響はない。
【００６２】
（実施形態２）
第１１図は本発明の実施形態２である半導体装置の樹脂封止体の上部を除去した状態の平面図であり、第１２図は第１１図のＣ−Ｃ線に沿う断面図であり、第１３図は第１１図のＤ−Ｄ線に沿う断面図である。
【００６３】
第１１図、第１２図及び第１３図に示すように、本実施形態の半導体装置２は、前述の実施形態１と基本的に同様の構成になっており、以下の構成が異なっている。
【００６４】
即ち、半導体チップ４、半導体チップ５の夫々は、半導体チップ４の一方の長辺４Ａ１と交わる一方の短辺４Ａ３がこの一方の短辺４Ａ３と同一側であって半導体チップ５の一方の長辺５Ａ１と交わる一方の短辺５Ａ３よりもその外側に位置し、半導体チップ５の一方の短辺５Ａ３と対向する他方の短辺５Ａ４がこの他方の短辺５Ａ４と同一側であって半導体チップ４の一方の短辺４Ａ３と対向する他方の短辺４Ａ４よりも外側に位置するように夫々の位置をずらした状態で接着固定されている。即ち、半導体チップ４、半導体チップ５の夫々は、電極６の配列方向に夫々の位置をずらした状態で接着固定されている。
【００６５】
また、半導体チップ４の一方の短辺４Ａ３及び半導体チップ５の一方の短辺５Ａ３の外側に配置された支持リード８Ａと、半導体チップ４の他方の短辺４Ａ４及び半導体チップ５の他方の短辺５Ａ４の外側に配置された支持リード８Ｂとを有し、支持リード８Ａは、半導体チップ５の一方の短辺５Ａ３の外側において半導体チップ４の裏面に接着層９を介在して接着固定され、支持リード８Ｂは、半導体チップ４の他方の短辺４Ａ４の外側において半導体チップ５の裏面に接着層９を介在して接着固定されている。
【００６６】
支持リード８Ａには、半導体チップ４の裏面側にそのチップ固定部を位置させるための折り曲げ加工が施され、支持リード８Ｂには、半導体チップ５の裏面側にそのチップ固定部を位置させるための折り曲げ加工が施されている。
【００６７】
このように構成された半導体装置２は、第１４図（平面図）に示すリードフレームＬＦ２を用いた製造プロセスで製造される。本実施形態の半導体装置２の製造は、前述の実施形態１で説明した製造方法と若干異なり、半導体チップ４、半導体チップ５の夫々を夫々の裏面同志を向い合わせた状態で接着固定し、支持リード８Ａ、支持リード８Ｂの夫々に半導体チップ４、半導体チップ５の夫々を接着固定した後、ワイヤボンディングを行う。支持リードと半導体チップとの固定は、支持リード８Ａと支持リード８Ｂとの間に、接着固定された半導体チップ４及び半導体チップ５を傾斜させて挿入することにより行うことができる。
【００６８】
ワイヤボンディング工程は、半導体チップ４の電極６とリード１０Ａとをワイヤ１１で電気的に接続し、その後、半導体チップ５の電極６とリード１０Ｂとをワイヤ１１で電気的に接続することによって行うが、半導体チップ４、半導体チップ５の夫々は、電極６の配列方向に夫々の位置をずらした状態で接着固定されているので、半導体チップ４の電極６とリード１０Ａとをワイヤ１１で接続する時、直ではないが、半導体チップ４の一方の短辺４Ａ３側の領域と対向する裏面の領域に支持リード８Ａを介在してヒートステージを接触させることができる。また、半導体チップ５の電極６とリード１０Ｂとをワイヤ１１で接続する時、直ではないが、半導体チップ５の他方の短辺５Ａ４側の領域と対向する裏面の領域に支持リード８Ｂを介在してヒートステージを接触させることができる。
【００６９】
このように、半導体チップ４、半導体チップ５の夫々は、半導体チップ４の一方の短辺４Ａ３が半導体チップ５の一方の短辺５Ａ３よりもその外側に位置し、半導体チップ５の他方の短辺５Ａ４が半導体チップ４の他方の短辺４Ａ４よりもその外側に位置するように夫々の位置をずらした状態で互いに接着固定され、支持リード８Ａは、半導体チップ５の一方の短辺５Ａ３外側において半導体チップ４の裏面に接着固定され、支持リード８Ｂは、半導体チップ４の他方の短辺４Ａ４の外側において半導体チップ５の裏面に接着固定されていることから、半導体チップ４と半導体チップ５との間にはタブが存在しないので、半導体チップ４の回路形成面４Ａから半導体チップ５の回路形成面５Ａまでの距離を縮小することができる。
【００７０】
また、半導体チップ４と半導体チップ５との間には一つの接着層しか存在しないので、半導体チップ４の回路形成面４Ａから半導体チップ５の回路形成面５Ａまでの距離を縮小することができる。
【００７１】
また、支持リード８Ａは半導体チップ５の一方の短辺５Ａ３よりもその外側に引き出された半導体チップ４の裏面に接着固定され、支持リード８Ｂは半導体チップ４の他方の短辺４Ａ４よりもその外側に引き出された半導体チップ５の裏面に接着固定されているので、支持リード８Ａ、８Ｂの夫々の厚さは半導体チップ４の回路形成面４Ａから半導体チップ５の回路形成面５Ａまでの厚さで相殺され、支持リード８Ａ、８Ｂによる樹脂封止体１２の厚さへの影響はない。
【００７２】
この結果、前述の実施形態１と同様の効果が得られる。
【００７３】
また、半導体チップ４、半導体チップ５の夫々は、半導体チップ４の一方の長辺４Ａ１と交わる一方の短辺４Ａ３がこの一方の短辺４Ａ３と同一側であって半導体チップ５の一方の長辺５Ａ１と交わる一方の短辺５Ａ３よりもその外側に位置し、半導体チップ５の一方の短辺５Ａ３と対向する他方の短辺５Ａ４がこの他方の短辺５Ａ４と同一側であって半導体チップ４の一方の短辺４Ａ３と対向する他方の短辺４Ａ４よりも外側に位置するように夫々の位置をずらした状態で接着固定されていることから、ワイヤボンディング工程において、半導体チップ４の裏面とヒートステージ２４との接触面積が増加するので、ワイヤボンディング工程における半導体チップ４の加熱時間を短縮することができる。また、半導体チップ５の裏面とヒートステージ２４との接触面積が増加するので、ワイヤボンディング工程における半導体チップ５の加熱時間を短縮することができる。この結果、半導体装置２の生産効率を高めることができる。
【００７４】
（実施形態３）
第１５図は本発明の実施形態３である半導体装置の樹脂封止体の上部を除去した状態の平面図であり、第１６図は第１５図のＥ−Ｅ線に沿う断面図である。
【００７５】
第１５図、第１６図に示すように、本実施形態の半導体装置３は、前述の実施形態２と基本的に同様の構成になっており、以下の構成が異なっている。
【００７６】
即ち、支持リード８Ａは、半導体チップ４の回路形成面４Ａにおいてその一方の短辺４Ａ３側に接着固定され、支持リード８Ｂは、半導体チップ５の回路形成面５Ａにおいてその他方の短辺５Ａ４側に接着固定されている。
【００７７】
支持リード８Ａには折り曲げ加工が施されていないが、支持リード８Ｂには、半導体チップ５の回路形成面５Ａ側にそのチップ固定部を位置させるための折り曲げ加工が施されている。
【００７８】
このように構成された半導体装置３は、第１７図（平面図）に示すリードフレームＬＦ３を用いた製造プロセスで製造される。本実施形態の半導体装置３の製造は、前述の実施形態２で説明した製造方法と同様に、半導体チップ４、半導体チップ５の夫々を夫々の裏面同志を向い合わせた状態で接着固定し、支持リード８Ａ、支持リード８Ｂの夫々に半導体チップ４、半導体チップ５の夫々を接着固定した後、ワイヤボンディングを行う。支持リードと半導体チップとの固定は、支持リード８Ａと支持リード８Ｂとの間に、接着固定された半導体チップ４及び半導体チップ５を傾斜させて挿入することにより行うことができる。
【００７９】
ワイヤボンディング工程は、半導体チップ４の電極６とリード１０Ａとをワイヤ１１で電気的に接続し、その後、半導体チップ５の電極６とリード１０Ｂとをワイヤ１１で電気的に接続することによって行うが、半導体チップ４、半導体チップ５の夫々は、電極６の配列方向に夫々の位置をずらした状態で接着固定されており、支持リード８Ａは半導体チップ４の回路形成面４Ａにおいて一方の短辺４Ａ３側に接着固定され、支持リード８Ｂは半導体チップ５の回路形成面５Ａにおいて他方の短辺５Ａ４側に接着固定されているので、半導体チップ４の電極６とリード１０Ａとをワイヤ１１で接続する時、半導体チップ４の一方の短辺４Ａ３側の領域と対向する裏面の領域にヒートステージを直に接触させることができる。また、半導体チップ５の電極６とリード１０Ｂとをワイヤ１１で接続する時、半導体チップ５の他方の短辺５Ａ４側の領域と対向する裏面の領域にヒートステージを直に接触させることができる。
【００８０】
このように、支持リード８Ａは、半導体チップ４の回路形成面４Ａにおいてその一方の短辺４Ａ３側に接着固定され、支持リード８Ｂは、半導体チップ５の回路形成面５Ａにおいてその他方の短辺５Ａ４側に接着固定されていることから、半導体チップ４と半導体チップ５との間にはタブが存在しないので、半導体チップ４の回路形成面４Ａから半導体チップ５の回路形成面５Ａまでの距離を縮小することができる。
【００８１】
また、半導体チップ４と半導体チップ５との間には一つの接着層しか存在しないので、半導体チップ４の回路形成面４Ａから半導体チップ５の回路形成面５Ａまでの距離を縮小することができる。
【００８２】
また、支持リード８Ａは、半導体チップ４の回路形成面４Ａにおいてその一方の短辺４Ａ３側に接着固定され、支持リード８Ｂは、半導体チップ５の回路形成面５Ａにおいてその他方の短辺５Ａ４側に接着固定されているので、支持リード８Ａの厚さは半導体チップ４の電極６とリード１０Ａとを電気的に接続するワイヤ１１のループ高さで相殺され、支持リード８Ｂの厚さは半導体チップ５の電極６とリード１０Ｂとを電気的に接続するワイヤ１１のループ高さで相殺される。従って、支持リード８Ａ、８Ｂによる樹脂封止体１２の厚さへの影響はない。この結果、前述の実施形態２と同様の効果が得られる。
【００８３】
なお、前述の実施形態１においても、本実施形態３と同様に、電極６の配列方向に位置をずらした状態で半導体チップ４、半導体チップ５の夫々の裏面同志を接着固定してもよい。この場合においても、本実施形態３と同様に、半導体チップ４の裏面とヒートステージとの接触面積が増加するので、ワイヤボンディング工程における半導体チップ４の加熱時間を短縮することができる。また、半導体チップ５の裏面とヒートステージとの接触面積が増加するので、ワイヤボンディング工程における半導体チップ５の加熱時間を短縮することができる。
【００８４】
（実施形態４）
第１８図は本発明の実施形態４である半導体装置の樹脂封止体の上部を除去した状態の平面図であり、第１９図は前記半導体装置の断面図である。
【００８５】
第１８図及び第１９図に示すように、本実施形態の半導体装置３０は、基本的に前述の実施形態１と同様の構成になっており、以下の構成が異なっている。
【００８６】
即ち、半導体チップ４の回路形成面４Ａ上における樹脂封止体１２の樹脂厚が半導体チップ５の回路形成面５Ａ上における樹脂封止体１２の樹脂厚よりも薄くなるように、半導体チップ４の外側に位置する支持リード８の一部分８Ｘに折り曲げ加工が施されている。このような折り曲げ加工を施す理由は、後で詳細に説明するが、トランスファモールディング法に基づいて樹脂封止体１２を形成する際、モールド金型（成形金型）のキャビティ内に加圧注入された樹脂の流動によって生じる半導体チップの上下方向（積層方向）の変動を抑制するためである。
【００８７】
本実施形態の半導体装置３０は、前述の実施形態１と同様に、２本の支持リード８を有する構成になっている。二本の支持リード８の夫々は、樹脂封止体１２の互いに対向する二つの短辺のうちの一方の短辺から他方の短辺に向って延在し、半導体チップ４の回路形成面４Ａの互いに対向する二つの短辺を横切っている。二本の支持リード８のうち、一方の支持リード８のチップ固定部は半導体チップ４の一方の長辺４Ａ１側において接着層９を介在して接着固定され、他方の支持リード８のチップ固定部は半導体チップ４の他方の長辺４Ａ２側において接着層９を介在して接着固定されている。即ち、一方の支持リード８と他方の支持リード８との間には、支持リードと半導体チップとを接着固定するための接着層が設けられていない。
【００８８】
ところで、接着層は、接着層に含まれた水分が製品完成後の環境試験である温度サイクル試験時の熱や実装基板に半導体装置を半田付け実装する時の半田リフロー熱によって気化膨張し、樹脂封止体に亀裂をもたらす所謂パッケージ・クラックの要因となるため、出来るだけ小さい面積で支持リードと半導体チップとの接着固定を行うことが望ましい。タブに半導体チップを接着固定する場合、タブの大きさに律則されるが、一般的に接着層の面積が支持リードの場合と比較して広くなるため、タブによる半導体チップの支持は望ましくない。従って、本実施形態のように、支持リード８に半導体チップ４が接着固定された構成にすることにより、信頼性の高い薄型の半導体装置を提供することができる。
【００８９】
次に、半導体装置３０の製造について、第２０図乃至第２５図を用いて説明する。第２０図は半導体装置の製造に用いられるリードフレームの平面図であり、第２１図乃至第２５図は製造方法を説明するための断面図である。なお、実際のリードフレームは複数の半導体装置を製造できるように多連構造になっているが、図面を見易くするため、第２０図は一つの半導体装置が製造される一個分の領域を示している。
【００９０】
まず、リードフレームＬＦ４に一方の半導体チップ４を接着固定する。リードフレームＬＦ４と半導体チップ４との固定は、第２１図に示すように、ヒートステージ３１に半導体チップ４を装着し、その後、半導体チップ４の回路形成面４Ａに例えば熱硬化性樹脂からなる接着剤を塗布して接着層９を形成し、その後、半導体チップ４の回路形成面４Ａに支持リード８をボンディングツール３２で熱圧着することによって行われる。この時、半導体チップ４の一方の長辺４Ａ１がリード１０Ａ側（互いに対向する二つのリード群のうちの一方のリード群側）に位置するように半導体チップ４の向きを合わせた状態で行う。
【００９１】
なお、両面（表面及び裏面）に接着層が設けられた絶縁性の樹脂フィルムを用いて接着層９を形成してもよいが、この場合、接着剤を塗布して接着層９を形成する場合に比べて接着層９が厚くなるため、半導体装置の薄型化には若干不利である。
【００９２】
次に、半導体チップ４の裏面が上向きとなるようにリードフレームＬＦ４を反転させた後、半導体チップ４に半導体チップ５を接着固定する。半導体チップ４と半導体チップ５との固定は、第２２図に示すように、ヒートステージ３３と半導体チップ４の回路形成面４Ａとが向かい合う状態でヒートステージ３３に半導体チップ４を装着し、その後、半導体チップ４の裏面に例えばＡｇペースト材からなる接着剤を塗布して接着層７を形成し、その後、半導体チップ４の裏面と半導体チップ５の裏面とが向い合う状態で半導体チップ４の裏面上に半導体チップ５を装着することによって行なわれる。この時、半導体チップ５の一方の長辺５Ａ１がリード１０Ｂ側（互いに対向する二つのリード群のうちの他方のリード群側）に位置するように半導体チップ５の向きを合わせた状態で行う。また、半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように夫々の位置をずらした状態（半導体チップ４の一方の長辺４Ａ１と半導体チップ５の一方の長辺５Ａ１とが互いに遠ざかる方向に位置をずらした状態）で行う。半導体チップ４と半導体チップ５の位置ずれ量は、半導体チップ４の電極６が半導体チップ５の他方の長辺５Ａ２よりも外側に位置し、半導体チップ５の電極６が半導体チップ４の他方の長辺４Ａ２よりも外側に位置する程度が望ましい。
【００９３】
なお、両面に接着層が設けられた絶縁性の樹脂フィルムを用いて接着層７を形成してもよいが、この場合、接着剤を塗布して接着層７を形成する場合に比べて接着層７が厚くなるため、半導体装置の薄型化には若干不利である。
【００９４】
次に、半導体チップ４の回路形成面４Ａが上向きとなるようにリードフレームＬＦ４を反転させた後、半導体チップ４の電極６とリード１０Ａとを導電性のワイヤ１１で電気的に接続する。半導体チップ４の電極６とリード１０Ａとの接続は、第２３図に示すように、ヒートステージ３４と半導体チップ５の回路形成面５Ａとが向い合う状態でヒートステージ３４に半導体チップ４及び５を装着して行う。ワイヤ１１としては例えばＡｕワイヤを用いる。また、ワイヤ１１の接続方法としては、例えば熱圧着に超音波振動を併用したボールボンディング（ネイルヘッドボンディング）法を用いる。
【００９５】
この工程において、半導体チップ４の回路形成面４Ａの一方の長辺４Ａ１側における領域と対向する裏面の領域が露出しているので、この裏面の領域に接触するように突出部３４Ｂをヒートステージ３４に設けておくことにより、半導体チップ４の裏面の領域をヒートステージ３４に直に接触させることができる。
【００９６】
即ち、半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように位置をずらした状態で半導体チップ４、半導体チップ５の夫々の裏面同志を接着固定することにより、半導体チップ４の裏面の領域をヒートステージ３４に直に接触させることができ、ヒートステージ３４の熱が半導体チップ４の電極６に有効に伝達されるので、半導体チップ４の電極６とワイヤ１１との接続不良を低減することができる。
【００９７】
なお、この工程において、半導体チップ５はその回路形成面５Ａを下にした状態でヒートステージ３４に装着されるので、半導体チップ５の電極６とヒートステージ３４との接触を防止するため、ヒートステージ３４には窪み３４Ａが設けられている。
【００９８】
次に、半導体チップ５の回路形成面５Ａが上向きとなるようにリードフレームＬＦ４を反転させた後、半導体チップ５の電極６とリード１０Ｂとを導電性のワイヤ１１で電気的に接続する。半導体チップ５の電極６とリード１０Ｂとの接続は、第２４図に示すように、ヒートステージ３５と半導体チップ４の回路形成面４Ａとが向い合う状態でヒートステージ３５に半導体チップ４及び５を装着して行う。ワイヤ１１としては例えばＡｕワイヤを用いる。また、ワイヤ１１の接続方法としては、例えば熱圧着に超音波振動を併用したボールボンディング法を用いる。
【００９９】
この工程において、半導体チップ５の回路形成面５Ａの一方の長辺５Ａ１側における領域と対向する裏面の領域が露出しているので、この裏面の領域に接触するように突出部３５Ｂをヒートステージ３５に設けておくことにより、半導体チップ５の裏面の領域をヒートステージ３５に直に接触させることができる。
【０１００】
即ち、半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように位置をずらした状態で半導体チップ４、半導体チップ５の夫々の裏面同志を接着固定することにより、半導体チップ５の裏面の領域をヒートステージ３５に直に接触させることができ、ヒートステージ３５の熱が半導体チップ５の電極６に有効に伝達されるので、半導体チップ５の電極６とワイヤ１１との接続不良を低減することができる。
【０１０１】
また、ここまでの工程において、半導体チップ４の電極６とリード１０Ａとをワイヤ１１で電気的に接続する第１ワイヤボンディング工程と、半導体チップ５の電極６とリード１０Ｂとをワイヤ１１で電気的に接続する第２ワイヤボンディング工程は、半導体チップ４に半導体チップ５を接着固定してチップ積層体を形成するチップボンディング工程の後に行っている。前述の実施形態１では、チップ積層体を形成するチップボンディング工程の前に第１ワイヤボンディング工程を実施しているため、第１ワイヤボンディング工程で接続処理されたワイヤ１１がチップボンディング工程において変形するといった不具合が発生し易いが、本実施形態ではチップボンディング工程の後に第１及び第２ワイヤボンディング工程を実施しているため、チップボンディング工程において発生するワイヤ変形を実質的に排除することができる。
【０１０２】
なお、この工程において、半導体チップ４はその回路形成面４Ａを下にした状態でヒートステージ３５に装着されるので、ヒートステージ３５とワイヤ１１との接触を防止するため、ヒートステージ３５には窪み３５Ａが設けられている。
【０１０３】
次に、半導体チップ４の回路形成面４Ａが上向きとなるようにリードフレームＬＦ４を反転させた後、第２５図に示すように、リードフレームＬＦ４をトランスファモールディング装置のモールド金型３６の上型３６Ａと下型３６Ｂとの間に位置決めする。この時、上型３６Ａ及び下型３６Ｂによって形成されるキャビティ３７の内部には、半導体チップ４、５、リード１０Ａのインナー部、リード１０Ｂのインナー部、支持リード８及びワイヤ１１等が配置される。
【０１０４】
次に、モールド金型３６のポットからランナー及び流入ゲート３８等を通してキャビティ３７内に流動性の樹脂（溶融樹脂）を加圧注入して樹脂封止体１２を形成する。半導体チップ４、５、リード１０Ａのインナー部、リード１０Ｂのインナー部、支持リード８及びワイヤ１１等は、樹脂封止体１２によって封止される。樹脂としては、例えば、フェノール系硬化剤、シリコーンゴム及びフィラー等が添加されたビフェニール系の熱硬化性樹脂を用いる。
【０１０５】
ところで、リードのアウター部は、実装基板に半導体装置を実装する時の熱膨張によって生じた応力や実装後の実装基板の反りによって生じた応力を吸収して緩和する作用を兼ね備えている。この応力緩和作用は、半導体装置の薄型化に伴い、樹脂封止体から突出するリードの突出部から実装基板までの距離が短くなるに従って衰退するため、半導体装置の薄型化においては、樹脂封止体の厚さ方向における中心（樹脂封止体の厚さの１／２水平面）よりも上側にリードの突出部を位置させ、リードの突出部から実装基板までの距離を出来るだけ長くすることが望ましい。そこで、本実施形態の半導体装置３０においても、樹脂封止体１２の厚さ方向における中心よりも上側にリード（１０Ａ，１０Ｂ）の突出部を位置させている。
【０１０６】
このような構造は、第２５図に示すように、キャビティ３７の厚さ方向における中心（キャビティの厚さの１／２水平面）よりも上側にリードフレームＬＦ４を位置させることにより可能であるが、キャビティ３７の厚さ方向における中心よりも上側にリードフレームＬＦ４を位置させた場合、流入ゲート３８としてはリードフレームの上側及び下側からキャビティ内に樹脂を注入する上下ゲート（センターゲートとも言う）の採用が困難になるため、リードフレームＬＦ４の下側から樹脂を注入する下ゲートの採用が余儀無くされる。
【０１０７】
一方、キャビティ３７内への樹脂の未充填、即ちボイドの発生を抑制するためには、半導体チップ４の回路形成面４Ａからこの回路形成面４Ａと対向するキャビティ３７の内壁面までの第１距離と、半導体チップ５の回路形成面５Ａからこの回路形成面５Ａと対向するキャビティ３７の内壁面までの第２距離を同一にすることが望ましいが、下ゲートを採用して厚さが１［ｍｍ］以下の樹脂封止体１２を形成する場合、半導体チップ４の回路形成面４Ａ側の方が半導体チップ５の回路形成面５Ａ側よりも先に樹脂の充填が完了するため、半導体チップ４の回路形成面４Ａ側に充填された樹脂によって半導体チップ（４，５）が下方に押し下げられ、半導体チップ５、ワイヤ１１等が樹脂封止体１２から露出する不具合が生じ易く、歩留まりの低下を招く要因となる。
【０１０８】
この半導体チップ（４，５）の上下方向の変動は、第１距離（半導体チップ４の回路形成面４Ａからキャビティ３７の内壁面までの距離）を第２距離（半導体チップ５の回路形成面５Ａからキャビティ３７の内壁面までの距離）よりも小さくすることによって抑制することが可能であるため、本実施形態では、第１距離が第２距離よりも小さくなるように、即ち半導体チップ４の回路形成面４Ａ上における樹脂封止体１２の樹脂厚が半導体チップ５の回路形成面５Ａ上における樹脂厚よりも薄くなるように、支持リード８の一部分８Ｘに折り曲げ加工を施している。
【０１０９】
次に、モールド金型３６からリードフレームＬＦ４を取り出し、その後、リード１０Ａに連結されたタイバー１３及びリード１０Ｂに連結されたタイバー１３を切断し、その後、リードフレームＬＦ４の枠体１４からリード１０Ａ、１０Ｂの夫々のアウター部を切断し、その後、リード１０Ａ、１０Ｂの夫々のアウター部を面実装型形状の一つである例えばガルウィング形状に成形し、その後、リードフレームＬＦ４の枠体１４から支持リード８を切断することにより、第１８図及び第１９図に示す半導体装置３０がほぼ完成する。
【０１１０】
なお、リードフレームＬＦ４は、リードフレームＬＦ４に半導体チップ４を固定する第１チップボンディング装置において、第２６図に示すように、ローダ部に装着されたカセット治具３９Ａからアンローダ部に装着されたカセット治具３９Ｂに収納される。また、リードフレームＬＦ４は、半導体チップ４に半導体チップ５を固定する第２チップボンディング装置において、第２７図（模式図）に示すように、ローダ部に装着されたカセット治具３９Ｂからアンローダ部に装着されたカセット治具３９Ｃに収納される。また、リードフレームＬＦ４は、半導体チップ４の電極６とリード１０Ａとをワイヤ１１で電気的に接続する第１ワイヤボンディング装置において、第２８図に示すように、ローダ部に装着されたカセット治具３９Ｃからアンローダ部に装着されたカセット治具３９Ｄに収納される。また、リードフレームＬＦ４は、半導体チップ５の電極６とリード１０Ｂとをワイヤ１１で電気的に接続する第２ワイヤボンディング装置において、第２９図に示すように、ローダ部に装着されたカセット治具３９Ｄからアンローダ部に装着されたカセット治具３９Ｅに収納される。
【０１１１】
第１チップボンディング装置のアンローダ部に装着されたカセット治具３９ＢはリードフレームＬＦ４を収納した後、第２チップボンディング装置のローダ部に装着されるが、この時、カセット治具３９Ｂの上下を反転させて装着することにより、第２チップボンディング工程におけるリードフレームＬＦ４の反転を容易に行うことができる。
【０１１２】
また、第２チップボンディング装置のアンローダ部に装着されたカセット治具３９ＣはリードフレームＬＦ４を収納した後、第１ワイヤボンディング装置のローダ部に装着されるが、この時、カセット治具３９Ｃの上下を反転させて装着することにより、第１ワイヤボンディング工程におけるリードフレームＬＦ４の反転を容易に行うことができる。
【０１１３】
また、第１ワイヤボンディング装置のアンローダ部に装着されたカセット治具３９ＤはリードフレームＬＦ４を収納した後、第２ワイヤボンディング装置のローダ部に装着されるが、この時、カセット治具３９Ｄの上下を反転させて装着することにより、第２ワイヤボンディング工程におけるリードフレームＬＦ４の反転を容易に行うことができる。
【０１１４】
このように、本実施形態によれば、以下の効果が得られる。
（１）一方の支持リード８のチップ固定部は、半導体チップ４の一方の長辺４Ａ１側において接着固定され、他方の支持リード８のチップ固定部は、半導体チップ４の他方の長辺４Ａ２側において接着固定されている。
【０１１５】
このような構成にすることにより、支持リード８に半導体チップ４を接着固定するための接着層９の面積を小さくすることができるので、接着層９に吸収された水分の気化膨張によって生じるパッケージクラックを抑制することができる。この結果、半導体装置３０の信頼性を高めることができる。
【０１１６】
（２）半導体チップ４の回路形成面４Ａ上における樹脂封止体１２の樹脂厚が半導体チップ５の回路形成面５Ａ上における樹脂厚よりも薄くなるように、支持リード８の一部分８Ｘに折り曲げ加工が施されている。
【０１１７】
このような構成にすることにより、トランスファモールディング法に基づいて厚さが１［ｍｍ］以下の樹脂封止体１２を形成する際、キャビティ３７の厚さ方向における中心よりも上側にリードフレームＬＦ４を位置させるために下ゲートを採用しても、キャビティ３７内に加圧注入された樹脂の流動によって生じる半導体チップ（４，５）の上下方向の変動を抑制することができるので、半導体チップ５、ワイヤ１１等が樹脂封止体１２から露出する不具合を抑制することができる。この結果、半導体装置３０の歩留まりを高めることができる。
【０１１８】
（３）半導体装置３０の製造において、半導体チップ４に半導体チップ５を接着固定するチップボンディング工程の後に、半導体チップ４の電極６とリード１０Ａとをワイヤ１１で電気的に接続する第１ワイヤボンディング工程と、半導体チップ５の電極６とリード１０Ｂとをワイヤ１１で電気的に接続する第２ワイヤボンディング工程を行う。
【０１１９】
これにより、チップボンディング工程において発生するワイヤ変形を実質的に排除することができるので、半導体装置３０の歩留まりを高めることができる。
【０１２０】
（実施形態５）
第３０図は本発明の実施形態５である半導体装置の樹脂封止体の上部を除去した状態の平面図であり、第３１図は前記半導体装置の断面図である。
【０１２１】
第３０図及び第３１図に示すように、本実施形態の半導体装置４０は、基本的に前述の実施形態１と同様の構成になっており、以下の構成が異なっている。
【０１２２】
即ち、半導体チップ４、半導体チップ５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の他方の長辺４Ａ２が半導体チップ５の一方の長辺５Ａ１よりも外側に位置し、半導体チップ５の他方の長辺５Ａ２が半導体チップ４の一方の長辺４Ａ１よりも外側に位置するように夫々の位置をずらした状態（半導体チップ４の一方の長辺４Ａ１と半導体チップ５の一方の長辺５Ａ１とが互いに近づく方向に夫々の位置をずらした状態）で積層されている。
【０１２３】
また、半導体チップ４、半導体チップ５の夫々は夫々の裏面同志が接着固定されておらず、夫々の裏面同志が接触するように積層されている。
【０１２４】
また、複数のリード１０Ａの夫々は、樹脂封止体１２の内部に位置するインナー部の先端部分が半導体チップ４の一方の長辺４Ａ１の外側において半導体チップ５の裏面に接着層９を介在して接着固定され、複数のリード１０Ｂの夫々は、樹脂封止体１２の内部に位置するインナー部の先端部分が半導体チップ５の一方の長辺５Ａ１の外側において半導体チップ４の裏面に接着層９を介在して接着固定されている。
【０１２５】
また、ワイヤ１１が接続されるリード１０Ａのワイヤ接続面は半導体チップ４の回路形成面４Ａよりも半導体チップ５側に位置し、ワイヤ１１が接続されるリード１０Ｂのワイヤ接続面は半導体チップ５の回路形成面５Ａよりも半導体チップ４側に位置している。
【０１２６】
また、リード１０Ａのインナー部は、半導体チップ４の一方の長辺４Ａ１よりも外側に位置する半導体チップ５の裏面の長辺を横切ってその裏面に接着固定される第１部分１０Ａ１と、この第１部分１０Ａ１から半導体チップ４の回路形成面４Ａ側に折れ曲がる第２部分１０Ａ２と、この第２部分１０Ａ２から第１部分１０Ａ１と同一方向に延びる第３部分１０Ａ３とを有する構成になっている。リード１０Ｂのインナー部は、半導体チップ５の一方の長辺５Ａ１よりも外側に位置する半導体チップ４の裏面の長辺を横切ってその裏面に接着固定される第１部分１０Ｂ１と、この第１部分１０Ｂ１から半導体チップ４の回路形成面４Ａ側に折れ曲がる第２部分１０Ｂ２と、この第２部分１０Ｂ２から第１部分１０Ｂ１と同一方向に延びる第３部分１０Ｂ３とを有する構成になっている。リード１０Ａの第３部分１０Ａ３とリード１０Ｂの第３部分１０Ｂ３は、樹脂封止体１２の厚さ方向における中心（樹脂封止体１２の厚さの１／２水平面）よりも上側（樹脂封止体１２の上面１２Ａ側）に位置している（寄っている）。
【０１２７】
また、半導体チップ４の互いに対向する二つの短辺のうちの一方の短辺の外側には支持リード８Ｃが配置され、他方の短辺の外側には支持リード８Ｄが配置されている。この支持リード８Ｃ、８Ｄの夫々は、前述の実施形態で説明した支持リードとは異なり、半導体装置４０の製造プロセスにおいて、リードフレームに樹脂封止体１２を支持するためのものである。
【０１２８】
本実施形態の半導体装置４０の製造は、リード１０Ｂの第１部分１０Ｂ１に半導体チップ４の回路形成面４Ａの他方の長辺４Ａ２側の領域と対向する裏面の領域を接着層９を介在して接着固定し、リード１０Ａの第１部分１０Ａ１に半導体チップ５の回路形成面５Ａの他方の長辺５Ａ２側の領域と対向する裏面の領域を接着層９を介在して接着固定した後、半導体チップ４の電極６とリード１０Ａの第１部分１０Ａ１とをワイヤ１１で電気的に接続し、半導体チップ５の電極６とリード１０Ｂの第１部分１０Ｂ１とをワイヤ１１で電気的に接続する。半導体装置４０の製造において、半導体チップ４はリード１０Ａを介してリードフレームの枠体に支持され、半導体チップ５はリード１０Ｂを介してリードフレームの枠体に支持される。
【０１２９】
このように、本実施形態によれば、以下の効果が得られる。
（１）半導体チップ４、半導体チップ５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の他方の長辺４Ａ２が半導体チップ５の一方の長辺５Ａ１よりも外側に位置し、半導体チップ５の他方の長辺５Ａ２が半導体チップ４の一方の長辺４Ａ１よりも外側に位置するように夫々の位置をずらした状態で積層され、複数のリード１０Ａの夫々は、樹脂封止体１２の内部に位置するインナー部の先端部分（第１部分１０Ａ１）が半導体チップ４の一方の長辺４Ａ１の外側において半導体チップ５の裏面に接着固定され、複数のリード１０Ｂの夫々は、樹脂封止体１２の内部に位置するインナー部の先端部分（第１部分１０Ｂ１）が半導体チップ５の一方の長辺５Ａ１の外側において半導体チップ４の裏面に接着固定されている。
【０１３０】
このような構成にすることにより、リード（１０Ａ，１０Ｂ）のインナー部における長さ（樹脂封止体１２の外周囲から半導体チップの外周囲に向かって延在する長さ）が長くなるので、樹脂封止体１２の樹脂とリードとの界面をパス経路として外部から侵入する水分によってリード（１０Ａ，１０Ｂ）のワイヤ接続部や半導体チップ（４，５）の電極６に生じる腐食を抑制することができる。この結果、半導体装置４０の信頼性を高めることができる。
【０１３１】
また、半導体チップ４は複数のリード１０Ｂの夫々の先端部分（１０Ｂ１）で支持され、半導体チップ５は複数のリード１０Ａの夫々の先端部分（１０Ａ１）で支持されているので、半導体チップ４、５の夫々の接着固定を省略、即ち、接着層を省略することができる。この結果、半導体装置４０の薄型化及び低コスト化を図ることができる。
【０１３２】
（２）ワイヤ１１が接続されるリード１０Ａのワイヤ接続面は半導体チップ４の回路形成面４Ａよりも半導体チップ５側に位置し、ワイヤ１１が接続されるリード１０Ｂのワイヤ接続面は半導体チップ５の回路形成面５Ａよりも半導体チップ４側に位置している。
【０１３３】
このような構成にすることにより、半導体チップ４の電極６とリード１０Ａとを電気的に接続するワイヤ１１のループ高さ（半導体チップ４の回路形成面４Ａから最頂部までの高さ）が低くなるので、半導体チップ４の回路形成面４Ａ側における樹脂封止体１２の樹脂厚を薄くすることができる。また、半導体チップ５の電極６とリード１０Ｂとを電気的に接続するワイヤ１１のループ高さ（半導体チップ５の回路形成面５Ａから最頂部までの高さ）が低くなるので、半導体チップ５の回路形成面５Ａ側における樹脂封止体１２の樹脂厚を薄くすることができる。この結果、半導体装置４０の薄型化を図ることができる。
【０１３４】
（３）リード１０Ａのインナー部は、半導体チップ４の一方の長辺４Ａ１よりも外側に位置する半導体チップ５の裏面の長辺を横切ってその裏面に接着固定される第１部分１０Ａ１と、この第１部分１０Ａ１から半導体チップ４の回路形成面４Ａ側に折れ曲がる第２部分１０Ａ２と、この第２部分１０Ａ２から第１部分１０Ａ１と同一方向に延びる第３部分１０Ａ３とを有する構成になっている。リード１０Ｂのインナー部は、半導体チップ５の一方の長辺５Ａ１よりも外側に位置する半導体チップ４の裏面の長辺を横切ってその裏面に接着固定される第１部分１０Ｂ１と、この第１部分１０Ｂ１から半導体チップ４の回路形成面４Ａ側に折れ曲がる第２部分１０Ｂ２と、この第２部分１０Ｂ２から第１部分１０Ｂ１と同一方向に延びる第３部分１０Ｂ３とを有する構成になっている。
【０１３５】
このような構成にすることにより、樹脂封止体１２の厚さ方向における中心よりも上側に、樹脂封止体１２から突出するリード（１０Ａ，１０Ｂ）の突出部を位置させことができるので、半導体装置４０の実装時における信頼性及び実装後の信頼性を高めることができる。
【０１３６】
なお、本実施形態では半導体チップ４、５の夫々の接着固定を省略した例について説明したが、第３２図（断面図）に示すように、接着層７を介在して半導体チップ４、５の夫々の裏面同志を接着固定してもよい。この場合、トランスファモールディング法に基づいて樹脂封止体１２を形成する際、キャビティ内に加圧注入された樹脂の流動によって半導体チップ４と半導体チップ５とが離隔する不具合を抑制することができるので、半導体装置４０の歩留まりを高めることができるが、その代わりに半導体装置４０の厚さが厚くなる。
【０１３７】
（実施形態６）
第３３図は本発明の実施形態６である半導体装置の断面図である。
【０１３８】
第３３図に示すように、本実施形態の半導体装置４１は、前述の実施形態５と基本的に同様の構成になっており、以下の構成が異なっている。
【０１３９】
即ち、半導体チップ４、半導体チップ５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように夫々の位置をずらした状態（半導体チップ４の一方の長辺４Ａ１と半導体チップ５の一方の長辺５Ａ１とが互いに遠ざかる方向に夫々の位置をずらした状態）で積層されている。
【０１４０】
また、複数のリード１０Ａの夫々は、樹脂封止体１２の内部に位置するインナー部の先端部分が半導体チップ５の他方の長辺５Ａ２の外側において半導体チップ４の裏面に接着層９を介在して接着固定され、複数のリード１０Ｂの夫々は、樹脂封止体１２の内部に位置するインナー部の先端部分が半導体チップ４の他方の長辺４Ａ２の外側において半導体チップ５の裏面に接着層９を介在して接着固定されている。
【０１４１】
リード１０Ａのインナー部は、半導体チップ５の他方の長辺５Ａ２よりも外側に位置する半導体チップ４の裏面の長辺を横切ってその裏面に接着固定される第１部分１０Ａ１と、この第１部分１０Ａ１から半導体チップ４の回路形成面４Ａ側に折れ曲がる第２部分１０Ａ２と、この第２部分１０Ａ２から第１部分１０Ａ１と同一方向に延びる第３部分１０Ａ３とを有する構成になっている。リード１０Ｂのインナー部は、半導体チップ４の他方の長辺４Ａ２よりも外側に位置する半導体チップ５の裏面の長辺を横切ってその裏面に接着固定される第１部分１０Ｂ１と、この第１部分１０Ｂ１から半導体チップ４の回路形成面４Ａ側に折れ曲がる第２部分１０Ｂ２と、この第２部分１０Ｂ２から第１部分１０Ｂ１と同一方向に延びる第３部分１０Ｂ３とを有する構成になっている。リード１０Ａの第３部分１０Ａ３とリード１０Ｂの第３部分１０Ｂ３は、樹脂封止体１２の厚さ方向における中心よりも上側（樹脂封止体１２の上面１２Ａ側）に位置している。
【０１４２】
本実施形態の半導体装置４１の製造は、前述の実施形態５で説明した製造方法と若干異なり、半導体チップ４の回路形成面４Ａの一方の長辺４Ａ１側の領域と対向する裏面の領域にリード１０Ａの第１部分１０Ａ１を接着固定し、半導体チップ５の回路形成面５Ａの一方の長辺５Ａ１と対向する裏面の領域にリード１０Ｂの第１部分１０Ｂ１を接着固定した後、ワイヤボンディングを行う。
【０１４３】
このように構成された本実施形態の半導体装置４１によれば、前述の実施形態５と同様の効果が得られる。
【０１４４】
また、複数のリード１０Ａの夫々は、樹脂封止体１２の内部に位置するインナー部の先端部分が半導体チップ５の他方の長辺５Ａ２の外側において半導体チップ４の裏面に接着層９を介在して接着固定されているので、半導体チップ４の電極６とリード１０Ａのインナー部とをワイヤ１１で電気的に接続する際、リード１０Ａのインナー部の先端部分にボンディングステージを接触させることができ、ボンディングステージの熱が半導体チップ４の電極６に有効に伝達される。
【０１４５】
また、複数のリード１０Ｂの夫々は、樹脂封止体１２の内部に位置するインナー部の先端部分が半導体チップ４の他方の長辺４Ａ２の外側において半導体チップ５の裏面に接着層９を介在して接着固定されているので、半導体チップ５の電極６とリード１０Ｂのインナー部とをワイヤ１１で電気的に接続する際、リード１０Ｂのインナー部の先端部分にボンディングステージを接触させることができ、ボンディングステージの熱が半導体チップ５の電極６に有効に伝達される。
【０１４６】
この結果、半導体チップ４の電極６とワイヤ１１との接続不良を低減することができると共に、半導体チップ５の電極６とワイヤ１１との接続不良を低減することができるので、半導体装置４１の歩留まりを高めることができる。
【０１４７】
なお、本実施形態の半導体装置４１においても、第３４図（断面図）に示すように、接着層７を介在して半導体チップ４、５の夫々の裏面同志を接着固定してもよい。
【０１４８】
（実施形態７）
第３５図は本発明の実施形態７である半導体装置の樹脂封止体の上部を除去した状態の平面図であり、第３６図は前記半導体装置の断面図である。
【０１４９】
第３５図及び第３６図に示すように、本実施形態の半導体装置４２は、基本的に前述の実施形態５と同様の構成になっており、以下の構成が異なっている。
【０１５０】
即ち、複数のリード１０Ｂの夫々は、樹脂封止体１２の内部に位置するインナー部の先端部分が半導体チップ４の回路形成面４Ａにおいてその他方の長辺４Ａ２側に接着層９を介在して接着固定されている。
【０１５１】
また、リード１０Ｂのインナー部は、半導体チップ５の一方の長辺５Ａ１よりも外側に位置する半導体チップ４の他方の長辺４Ａ２を横切ってその回路形成面４Ａに接着固定される第１部分１０Ｂ１と、この第１部分１０Ｂ１から半導体チップ４の裏面側に折れ曲がる第２部分１０Ｂ２と、この第２部分１０Ｂ２から第１部分１０Ｂ１と同一方向に延びる第３部分１０Ｂ３とを有する構成になっている。リード１０Ａの第３部分１０Ａ３とリード１０Ｂの第３部分１０Ｂ３は、樹脂封止体１２の厚さ方向における中心（樹脂封止体１２の厚さの１／２水平面）よりも上側（樹脂封止体１２の上面１２Ａ側）に位置している。
【０１５２】
本実施形態の半導体装置４２の製造は、前述の実施形態５で説明した製造方法と若干異なり、半導体チップ４の回路形成面４Ａの他方の長辺４Ａ２側にリード１０Ｂの第１部分１０Ｂ１を接着し、半導体チップ５の回路形成面５Ａの他方の長辺５Ａ２側の領域と対向する裏面の領域にリード１０Ａの第１部分１０Ａ１を接着した後、ワイヤボンディングを行う。
【０１５３】
このように構成された本実施形態の半導体装置４２によれば、前述の実施形態５と同様の効果が得られる。
【０１５４】
なお、本実施形態の半導体装置４２においても、第３７図（断面図）に示すように、接着層７を介在して半導体チップ４、５の夫々の裏面同志を接着固定してもよい。
【０１５５】
（実施形態８）
第３８図は本発明の実施形態８である半導体装置の樹脂封止体の上部を除去した状態の平面図であり、第３９図は前記半導体装置の断面図である。
【０１５６】
第３８図及び第３９図に示すように、本実施形態の半導体装置４３は、前述の実施形態５と基本的に同様の構成になっており、以下の構成が異なっている。
【０１５７】
即ち、半導体チップ４、５の夫々は、半導体チップ４の一方の長辺４Ａ１及び半導体チップ５の他方の長辺５Ａ２がリード１０Ａ側に向くように半導体チップ４の裏面と半導体チップ５の回路形成面５Ａとを向い合わせ、かつ半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように夫々の位置をずらした状態（半導体チップ４の一方の長辺４Ａ１と半導体チップ５の一方の長辺５Ａ１とが互いに遠ざかる方向に夫々の位置をずらした状態）で積層されている。
【０１５８】
また、複数のリード１０Ａの夫々は、樹脂封止体１２の内部に位置するインナー部の先端部分が半導体チップ５の他方の長辺５Ａ２の外側において半導体チップ４の裏面に接着層９を介在して接着固定されている。複数のリード１０Ｂの夫々は、樹脂封止体１２の内部に位置するインナー部の先端部分が半導体チップ４の他方の長辺４Ａ２の外側において半導体チップ５の裏面に接着層９を介在して接着固定されている。
【０１５９】
また、リード１０Ａのインナー部は、半導体チップ５の他方の長辺５Ａ２よりも外側に位置する半導体チップ４の裏面の長辺を横切ってその裏面に接着固定される第１部分１０Ａ１と、この第１部分１０Ａ１から半導体チップ４の回路形成面４Ａ側に折れ曲がる第２部分１０Ａ２と、この第２部分１０Ａ２から第１部分１０Ａ１と同一方向に延びる第３部分１０Ａ３とを有する構成になっている。リード１０Ｂのインナー部は、半導体チップ４の他方の長辺４Ａ２よりも外側に位置する半導体チップ５の裏面の長辺を横切ってその裏面に接着固定される第１部分１０Ｂ１と、この第１部分１０Ｂ１から半導体チップ４の回路形成面４Ａ側に折れ曲がる第２部分１０Ｂ２と、この第２部分１０Ｂ２から第１部分１０Ｂ１と同一方向に延びる第３部分１０Ｂ３とを有する構成になっている。リード１０Ａの第３部分１０Ａ３とリード１０Ｂの第３部分１０Ｂ３は、樹脂封止体１２の厚さ方向における中心よりも上側（樹脂封止体１２の上面１２Ａ側）に位置している。
【０１６０】
本実施形態の半導体装置４３の製造は、前述の実施形態５で説明した製造方法と若干異なり、半導体チップ５の回路形成面５Ａの一方の長辺５Ａ１側における領域と対向する裏面の領域にリード１０Ｂの第１部分１０Ｂ１を接着し、その後、半導体チップ４の回路形成面４の一方の長辺４Ａ１側における領域と対向する裏面の領域にリード１０Ａの第１部分１０Ａ１を接着した後、ワイヤボンディングを行う。
【０１６１】
このように構成された本実施形態の半導体装置４３によれば、前述の実施形態５と同様の効果が得られる。
【０１６２】
また、複数のリード１０Ａの夫々は、樹脂封止体１２の内部に位置するインナー部の先端部分が半導体チップ５の他方の長辺５Ａ２の外側において半導体チップ４の裏面に接着層９を介在して接着固定されているので、半導体チップ４の電極６とリード１０Ａのインナー部とをワイヤ１１で電気的に接続する際、リード１０Ａのインナー部の先端部分にボンディングステージを接触させることができ、ボンディングステージの熱が半導体チップ４の電極６に有効に伝達される。
【０１６３】
また、複数のリード１０Ｂの夫々は、樹脂封止体１２の内部に位置するインナー部の先端部分が半導体チップ４の他方の長辺４Ａ２の外側において半導体チップ５の裏面に接着層９を介在して接着固定されているので、半導体チップ５の電極６とリード１０Ｂのインナー部とをワイヤ１１で電気的に接続する際、リード１０Ｂのインナー部の先端部分にボンディングステージを接触させることができ、ボンディングステージの熱が半導体チップ５の電極６に有効に伝達される。
【０１６４】
この結果、半導体チップ４の電極６とワイヤ１１との接続不良を低減することができると共に、半導体チップ５の電極６とワイヤ１１との接続不良を低減することができるので、半導体装置４３の歩留まりを高めることができる。
【０１６５】
なお、本実施形態の半導体装置４３においても、第４０図（断面図）に示すように、接着層７を介在して半導体チップ４の裏面と半導体チップ５の回路形成面５Ａとを接着固定してもよい。
【０１６６】
（実施形態９）
第４１図は本発明の実施形態９である半導体装置の樹脂封止体の上部を除去した状態の平面図であり、第４２図は前記半導体装置の断面図である。
【０１６７】
第４１図及び第４２図に示すように、本実施形態の半導体装置４４は、基本的に前述の実施形態４と同様の構成になっており、以下の構成が異なっている。
【０１６８】
即ち、半導体チップ４、半導体チップ５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の他方の長辺４Ａ２が半導体チップ５の一方の長辺５Ａ１よりも外側に位置し、半導体チップ５の他方の長辺５Ａ２が半導体チップ４の一方の長辺４Ａ１よりも外側に位置するように夫々の位置をずらした状態（半導体チップ４の一方の長辺４Ａ１と半導体チップ５の一方の長辺５Ａ１とが互いに近づく方向に夫々の位置をずらした状態）で積層されている。
【０１６９】
また、半導体チップ４、半導体チップ５の夫々は夫々の裏面同志が接着固定されておらず、夫々の裏面同志が接触するように積層されている。
【０１７０】
本実施形態の半導体装置４４は、前述の実施形態４と同様に、２本の支持リード８を有する構成になっている。二本の支持リード８のうち、一方の支持リード８Ｅのチップ固定部は、半導体チップ５の一方の長辺５Ａ１の外側において、半導体チップ４の回路形成面４Ａの他方の長辺４Ａ２側における領域と対向する裏面の領域に接着層９を介在して接着固定されている。他方の支持リード８Ｆのチップ固定部は、半導体チップ４の一方の長辺４Ａ１の外側において、半導体チップ５の回路形成面５Ａの他方の長辺５Ａ２側における領域と対向する裏面の領域に接着層９を介在して接着固定されている。
【０１７１】
一方の支持リード８Ｅの一部分８Ｘには、そのチップ固定部を半導体チップ４の裏面側に位置させるための折り曲げ加工が施されている。他方の支持リード８Ｆには、そのチップ固定部を半導体チップ５の裏面側に位置させるための折り曲げ加工が施されている。
【０１７２】
本実施形態の半導体装置４４の製造は、一方の支持リード８Ｅのチップ固定部に、半導体チップ４の回路形成面４Ａの他方の長辺４Ａ２側の領域と対向する裏面の領域を接着層９を介在して接着固定し、他方の支持リード８Ｆのチップ固定部に、半導体チップ５の回路形成面５Ａの他方の長辺５Ａ２側の領域と対向する裏面の領域を接着層９を介在して接着固定した後、半導体チップ４の電極６とリード１０Ａのインナー部の先端部分とをワイヤ１１で電気的に接続し、半導体チップ５の電極６とリード１０Ｂのインナー部の先端部分とをワイヤ１１で電気的に接続する。半導体装置４４の製造において、半導体チップ４は一方の支持リード８Ｅを介してリードフレームの枠体に支持され、半導体チップ５は他方の支持リード８Ｆを介してリードフレームの枠体に支持される。
【０１７３】
このように構成された本実施形態の半導体装置４４によれば、前述の実施形態５と同様の効果が得られる。
【０１７４】
また、半導体チップ４は一方の支持リード８Ｅで支持され、半導体チップ５は他方の支持リード８Ｆで支持されているので、半導体チップ４、５の夫々の接着固定を省略、即ち、接着層を省略することができる。この結果、半導体装置４４の薄型化及び低コスト化を図ることができる。
【０１７５】
なお、本実施形態の半導体装置４４においても、接着層を介在して半導体チップ４、５の夫々の裏面同志を接着固定してもよい。
【０１７６】
（実施形態１０）
第４３図は本発明の実施形態１０である半導体装置の断面図である。
【０１７７】
第４３図に示すように、本実施形態の半導体装置４５は、基本的に前述の実施形態９と同様の構成になっており、以下の構成が異なっている。
【０１７８】
即ち、半導体チップ４、半導体チップ５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の一方の長辺４Ａ１が半導体チップ５の他方の長辺５Ａ２よりも外側に位置し、半導体チップ５の一方の長辺５Ａ１が半導体チップ４の他方の長辺４Ａ２よりも外側に位置するように夫々の位置をずらした状態（半導体チップ４の一方の長辺４Ａ１と半導体チップ５の一方の長辺５Ａ１とが互いに遠ざかる方向に夫々の位置をずらした状態）で積層されている。
【０１７９】
本実施形態の半導体装置４５は、前述の実施形態９と同様に、２本の支持リード８を有する構成になっている。二本の支持リード８のうち、一方の支持リード８Ｅのチップ固定部は、半導体チップ４の一方の長辺４Ａ１側においてその回路形成面４Ａに接着層９を介在して接着固定されている。他方の支持リード８Ｆのチップ固定部は、半導体チップ５の一方の長辺４Ａ１側においてその回路形成面５Ａに接着層９を介在して接着固定されている。
【０１８０】
一方の支持リード８Ｅの一部分には、そのチップ固定部を半導体チップ４の回路形成面４Ａ側に位置させるための折り曲げ加工が施されている。他方の支持リード８Ｆには、そのチップ固定部を半導体チップ５の回路形成面５Ａ側に位置させるための折り曲げ加工が施されている。
【０１８１】
本実施形態の半導体装置４５の製造は、支持リード８Ｅと支持リード８Ｆとの間に半導体チップ４、５の夫々を傾斜させて挿入し、半導体チップ４Ａの回路形成面４Ａに支持リード８Ｅを接着固定し、半導体チップ５Ａの回路形成面５Ａに支持リード８Ｆを接着固定した後、半導体チップ４の電極６とリード１０Ａのインナー部の先端部分とをワイヤ１１で電気的に接続し、半導体チップ５の電極６とリード１０Ｂのインナー部の先端部分とをワイヤ１１で電気的に接続する。半導体装置４５の製造において、半導体チップ４は一方の支持リード８Ｅを介してリードフレームの枠体に支持され、半導体チップ５は他方の支持リード８Ｆを介してリードフレームの枠体に支持される。
【０１８２】
このように構成された本実施形態の半導体装置４５によれば、前述の実施形態９と同様の効果が得られる。
【０１８３】
また、半導体チップ４、５の夫々は、半導体チップ４の一方の長辺４Ａ１と半導体チップ５の一方の長辺５Ａ１とが互いに遠ざかる方向に夫々の位置をずらした状態で積層されているので、半導体チップ４の電極６とリード１０Ａのインナー部とをワイヤ１１で電気的に接続する際、半導体チップ４の電極６と対向する裏面の領域にヒートステージを接触させることができ、ヒートステージの熱が半導体チップ４の電極６に有効に伝達される。
【０１８４】
また、半導体チップ５の電極６とリード１０Ｂのインナー部とをワイヤ１１で電気的に接続する際、半導体チップ５の電極６と対向する裏面の領域にヒートステージを接触させることができ、ヒートステージの熱が半導体チップ５の電極６に有効に伝達される。
【０１８５】
この結果、半導体チップ４の電極６とワイヤ１１との接続不良を低減することができると共に、半導体チップ５の電極６とワイヤ１１との接続不良を低減することができるので、半導体装置４５の歩留まりを高めることができる。
【０１８６】
なお、本実施形態の半導体装置４５においても、接着層を介在して半導体チップ４、５の夫々の裏面同志を接着固定してもよい。
【０１８７】
（実施形態１１）
第４４図は本発明の実施形態１１である半導体装置の断面図である。
【０１８８】
第４４図に示すように、本実施形態の半導体装置５０は、基本的に前述の実施形態１０と同様の構成になっており、以下の構成が異なっている。
【０１８９】
即ち、半導体装置５０はタブ５４を有する構成になっている。半導体チップ４は、その裏面がタブ５４の表裏面（互いに対向する一主面及び他の主面）のうちの表面（一主面）に接着層５５を介在して接着固定されている。半導体チップ５は、その裏面がタブ５４の表裏面のうちの裏面（他の主面）に接着層５５を介在して接着固定されている。タブ５４は半導体チップ（４，５）の平面サイズよりも小さい平面サイズで形成されている。
【０１９０】
半導体チップ４、５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の一方の長辺４Ａ１が半導体チップ５の他方の長辺５Ａ２及びタブ５４の側面よりも外側に位置し、半導体チップ５の一方の長辺５Ａ２が半導体チップ４の他方の長辺４Ａ２及びタブ５４の側面よりも外側に位置するように夫々の位置をずらした状態（半導体チップ４の一方の長辺４Ａ１と半導体チップ５の一方の長辺５Ａ１とが互いに遠ざかる方向に位置をずらした状態）で積層されている。
【０１９１】
このような構成にすることにより、半導体チップ４の電極６とリード１０Ａのインナー部とをワイヤ１１で電気的に接続する際、半導体チップ４の電極６と対向する裏面の領域にヒートステージを接触させることができ、ヒートステージの熱が半導体チップ４の電極６に有効に伝達されるので、半導体チップ４の電極６とワイヤ１１との接続不良を低減することができる。また、半導体チップ５の電極６とリード１０Ｂのインナー部とをワイヤ１１で電気的に接続する際、半導体チップ５の電極６と対向する裏面の領域にヒートステージを接触させることができ、ヒートステージの熱が半導体チップ５の電極６に有効に伝達されるので、半導体チップ５の電極６とワイヤ１１との接続不良を低減することができる。この結果、タブ５４を有する半導体装置５０においても歩留まりを高めることができる。
【０１９２】
（実施形態１２）
第４５図は本発明の実施形態１２である半導体装置の断面図である。
【０１９３】
第４５図に示すように、本実施形態の半導体装置５１は、基本的に前述の実施形態１１と同様の構成になっており、以下の構成が異なっている。
【０１９４】
即ち、半導体チップ４、５の夫々は、半導体チップ４の一方の長辺４Ａ１及び半導体チップ５の他方の長辺５Ａ２がリード１０Ａ側に向くように夫々の裏面同志を向い合わせ、かつ半導体チップ４の一方の長辺４Ａ１と同一側におけるタブ５４の側面ｙ１が半導体チップ４の電極６の内側端ｘ１よりも外側に位置し、半導体チップ５の一方の長辺５Ａ１と同一側におけるタブ５４の側面ｙ２が半導体チップ５の電極６の内側端ｘ２よりも外側に位置するように夫々の位置をずらした状態（半導体チップ４の一方の長辺４Ａ１と半導体チップ５の一方長辺５Ａ１とが互いに近づく方向に夫々の位置をずらした状態）で積層されている。
【０１９５】
このような構成にすることにより、接着層５５の面積を縮小するためにタブ５４の平面サイズを半導体チップ（４，５）の平面サイズよりも小さくしても、半導体チップ４の電極６と対向する裏面の領域及び半導体チップ５の電極６と対向する裏面の領域がタブ５４で支持されるので、半導体チップ４の電極６にワイヤ１１の一端側を接続する時のボンディング性が向上すると共に、半導体チップ５の電極６にワイヤ１１の一端側を接続する時のボンディング性が向上する。
【０１９６】
（実施形態１３）
第４６図は本発明の実施形態１３である半導体装置の断面図である。
【０１９７】
第４６図に示すように、本実施形態の半導体装置５２は、基本的に前述の実施形態１０と同様の構成になっており、以下の構成が異なっている。
【０１９８】
即ち、半導体装置５２はタブ５４を有する構成になっている。半導体チップ４は、その裏面がタブ５４の表裏面（互いに対向する一主面及び他の主面）のうちの表面（一主面）に接着層５５を介在して接着固定されている。半導体チップ５は、その裏面がタブ５４の表裏面のうちの裏面（他の主面）に接着層５５を介在して接着固定されている。タブ５４は半導体チップ（４，５）の平面サイズよりも大きい平面サイズで形成されている。
【０１９９】
半導体チップ４、５の夫々は、半導体チップ４の一方の長辺４Ａ１及び半導体チップ５の他方の長辺５Ａ２がリード１０Ａ側に向くように夫々の裏面同志を向い合わせた状態で積層されている。
【０２００】
ワイヤ１１は、リード側を先に接続（第１ボンド）し、半導体チップの電極側を後で接続（第２ボンド）する逆ボンディング法にて接続されている。第１ボンドではワイヤ切れを防止するため、特にボールボンディング法においてはワイヤの引き上げが必要である。従って、リード１０Ａのワイヤ接続面を半導体チップ４の回路形面４Ａよりも半導体チップ５側に位置させ、ワイヤ１１による半導体チップ４の電極６とリード１０Ａのワイヤ接続面との接続を逆ボンディング法にて行うことにより、ワイヤ１１の引き上げは半導体チップ４の回路形成面４Ａとリード１０Ａのワイヤ接続面との間の高低差によって相殺されるので、半導体チップ４の回路形成面４Ａ側における樹脂封止体１２の樹脂厚を薄くすることができる。同様に、リード１０Ｂのワイヤ接続面を半導体チップ５の回路形面５Ａよりも半導体チップ４側に位置させ、ワイヤ１１による半導体チップ５の電極６とリード１０Ｂのワイヤ接続面との接続を逆ボンディング法にて行うことにより、ワイヤ１１の引き上げは半導体チップ５の回路形成面５Ａとリード１０Ｂのワイヤ接続面との間の高低差によって相殺されるので、半導体チップ５の回路形成面５Ａ側における樹脂封止体１２の樹脂厚を薄くすることができる。この結果、タブ５４を有する半導体装置５２においても薄型化を図ることができる。
【０２０１】
なお、半導体チップ４、５の夫々の電極６上に突起電極を設けてもよい。この場合、ワイヤ１１の第２ボンドにおける接続が容易になる。
【０２０２】
（実施形態１４）
本実施形態では、ＤＲＡＭ（Ｄynamic Ｒandom Ａccess Ｍemory）が内蔵された二つの半導体チップを一つの樹脂封止体で封止する半導体装置に本発明を適用した例について説明する。
【０２０３】
第４７図は本発明の実施形態１４である半導体装置の断面図であり、第４８図は前記半導体装置に組み込まれた半導体チップの平面図である。
【０２０４】
第４８図に示すように、半導体チップ４、５の夫々は、回路形成面（４Ａ，５Ａ）の中央部にその長辺方向に向って一列状態で複数の電極６を配置した構成になっている。このような半導体チップ４、５の夫々を夫々の裏面同志が向かい合うように積層した場合、半導体チップ４、５の夫々の同一機能の電極６が上下方向において対向する状態となるので、図４７に示すように、半導体チップ４の一方の長辺側に配置された一本のリード１０Ａと、半導体チップ４、５の夫々の同一機能の電極６とをワイヤ１１で電気的に接続することができる。また、半導体チップ４の他方の長辺側に配置された一本のリード１０Ｂと、半導体チップ４、５の夫々の同一機能の電極６とをワイヤ１１で電気的に接続することができる。
【０２０５】
本実施形態の半導体装置６０において、リード（１０Ａ，１０Ｂ）のワイヤ接続面は、半導体チップ４の回路形成面４Ａと半導体チップ５の回路形成面５Ａとの間に位置している。従って、ワイヤ１１による半導体チップ４の電極６とリード（１０Ａ，１０Ｂ）のワイヤ接続面（第４７図において上面側）との接続を前述の実施形態１３と同様に逆くボンディング法にて行うことにより、ワイヤ１１の引き上げは半導体チップ４の回路形成面４Ａとリード１０Ａのワイヤ接続面との間の高低差によって相殺されるので、半導体チップ４の回路形成面４Ａ側における樹脂封止体１２の樹脂厚を薄くすることができる。同様に、ワイヤ１１による半導体チップ５の電極６とリード（１０Ａ，１０Ｂ）のワイヤ接続面（第４７図において下面側）との接続を逆くボンディング法にて行うことにより、ワイヤ１１の引き上げは半導体チップ５の回路形成面５Ａとリード１０Ｂのワイヤ接続面との間の高低差によって相殺されるので、半導体チップ５の回路形成面５Ａ側における樹脂封止体１２の樹脂厚を薄くすることができる。この結果、回路形成面の中央部に電極６が配置された二つの半導体チップ（４，５）を積層し、この二つの半導体チップを一つの樹脂封体１２で封止した半導体装置６０の薄型化を図ることができる。
【０２０６】
なお、本実施形態では、回路形成面の中央部に一列状態で電極６が配置された半導体チップについて説明したが、回路形成面の中央部に千鳥状二列状態で電極６が配置された半導体チップにおいても薄型化を図ることができる。
【０２０７】
以上、本発明者によってなされた発明を、前記実施形態に基づき具体的に説明したが、本発明は、前記実施形態に限定されるものではなく、その要旨を逸脱しない範囲において種々変更可能であることは勿論である。
【０２０８】
例えば、本発明は、二方向リード配列構造であるＳＯＪ(Ｓmall Ｏutline Ｊ-leaded Ｐackage)型、ＳＯＰ(Ｓmall Ｏutline Ｐackage)型等の半導体装置に適用できる。
【０２０９】
また、本発明は、四方向リード配列構造であるＱＦＰ（Ｑuad Ｆlatpack Ｐackage）型、ＱＦＪ（Ｑuad Ｆlatpack Ｊ-leaded Ｐackage）型等の半導体装置に適用できる。
【産業上の利用可能性】
【０２１０】
二つの半導体チップを積層し、この二つの半導体チップを一つの樹脂封止体で封止する半導体装置の薄型化を図ることができる。
【０２１１】
また、前記半導体装置の歩留まりを高めることができる。
【図面の簡単な説明】
【０２１２】
【図１】第１図は、本発明の実施形態１である半導体装置の樹脂封止体の上部を除去した状態の平面図である。
【図２】第２図は、本発明の実施形態１である半導体装置の樹脂封止体の下部を除去した状態の底面図である。
【図３】第３図は、第１図に示すＡ−Ａ線に沿う断面図である。
【図４】第４図は、第１図に示すＢ−Ｂ線に沿う断面図である。
【図５】第５図は、本発明の実施形態１である半導体装置の製造プロセスで用いられるリードフレームの平面図である。
【図６】第６図は、本発明の実施形態１である半導体装置の製造を説明するための断面図である。
【図７】第７図は、本発明の実施形態１である半導体装置の製造を説明するための断面図である。
【図８】第８図は、本発明の実施形態１である半導体装置の製造を説明するための断面図である。
【図９】第９図は、本発明の実施形態１である半導体装置の製造を説明するための断面図である。
【図１０】第１０図は、本発明の実施形態１である半導体装置を実装基板に実装した状態の要部断面図である。
【図１１】第１１図は、本発明の実施形態２である半導体装置の樹脂封止体の上部を除去した状態の平面図である。
【図１２】第１２図は、第１１図に示すＣ−Ｃ線に沿う断面図である。
【図１３】第１３図は、第１１図に示すＤ−Ｄ線に沿う断面図である。
【図１４】第１４図は、本発明の実施形態２である半導体装置の製造プロセスで用いられるリードフレームの平面図である。
【図１５】第１５図は、本発明の実施形態３である半導体装置の樹脂封止体の上部を除去した状態の平面図である。
【図１６】第１６図は、第１５図に示すＥ−Ｅ線に沿う断面図である。
【図１７】第１７図は、本発明の実施形態３である半導体装置の製造プロセスで用いられるリードフレームの平面図である。
【図１８】第１８図は、本発明の実施形態４である半導体装置の樹脂封止体の上部を除去した状態の平面図である。
【図１９】第１９図は、本発明の実施形態４である半導体装置の断面図である。
【図２０】第２０図は、本発明の実施形態４である半導体装置の製造プロセスで用いられるリードフレームの平面図である。
【図２１】第２１図は、本発明の実施形態４である半導体装置の製造を説明するための断面図である。
【図２２】第２２図は、本発明の実施形態４である半導体装置の製造を説明するための断面図である。
【図２３】第２３図は、本発明の実施形態４である半導体装置の製造を説明するための断面図である。
【図２４】第２４図は、本発明の実施形態４である半導体装置の製造を説明するための断面図である。
【図２５】第２５図は、本発明の実施形態４である半導体装置の製造を説明するための断面図である。
【図２６】第２６図は、本発明の実施形態４である半導体装置の製造を説明するための模式図である。
【図２７】第２７図は、本発明の実施形態４である半導体装置の製造を説明するための模式図である。
【図２８】第２８図は、本発明の実施形態４である半導体装置の製造を説明するための模式図である。
【図２９】第２９図は、本発明の実施形態４である半導体装置の製造を説明するための模式図である。
【図３０】第３０図は、本発明の実施形態５である半導体装置の樹脂封止体の上部を除去した状態の平面図である。
【図３１】第３１図は、本発明の実施形態５である半導体装置の断面図である。
【図３２】第３２図は、本発明の実施形態５の変形例を示す半導体装置の断面図である。
【図３３】第３３図は、本発明の実施形態６である半導体装置の断面図である。
【図３４】第３４図は、本発明の実施形態６の変形例を示す半導体装置の断面図である。
【図３５】第３５図は、本発明の実施形態７である半導体装置の樹脂封止体の上部を除去した状態の平面図である。
【図３６】第３６図は、本発明の実施形態７である半導体装置の断面図である。
【図３７】第３７図は、本発明の実施形態７の変形例を示す半導体装置の断面図である。
【図３８】第３８図は、本発明の実施形態８である半導体装置の樹脂封止体の上部を除去した状態の平面図である。
【図３９】第３９図は、本発明の実施形態８である半導体装置の断面図である。
【図４０】第４０図は、本発明の実施形態８の変形例を示す半導体装置の断面図である。
【図４１】第４１図は、本発明の実施形態９である半導体装置の樹脂封止体の上部を除去した状態の平面図である。
【図４２】第４２図は、本発明の実施形態９である半導体装置の断面図である。
【図４３】第４３図は、本発明の実施形態１０である半導体装置の断面図である。
【図４４】第４４図は、本発明の実施形態１１である半導体装置の断面図である。
【図４５】第４５図は、本発明の実施形態１２である半導体装置の断面図である。
【図４６】第４６図は、本発明の実施形態１３である半導体装置の断面図である。
【図４７】第４７図は、本発明の実施形態１４である半導体装置の断面図である。
【図４８】第４８図は、本発明の実施形態１４である半導体装置に組み込まれた半導体チップの平面図である。
【符号の説明】
【０２１３】
１，２，３，３０，４０，４１，４２，４３，４４，４５，５０，５１，５２，６０…半導体装置、４，５…半導体チップ、６…電極（ボンディングパッド）、７…接着層、８，８Ａ，８Ｂ，８Ｃ，８Ｄ，８Ｅ，８Ｆ…支持リード、９…接着層、１０Ａ，１０Ｂ…リード、１１…ワイヤ、１２…樹脂封止体、１３…タイバー、１４…枠体、
２０，２２，２４，３１，３３，３４，３５…ヒートステージ、２１，３２…ボンディングツール、２３，２５…フレーム押さえ部材、２３Ａ，２４Ａ，３４Ａ，３５Ａ…窪み、２４Ｂ，３４Ｂ，３５Ｂ…突出部、
３０…実装基板、３１…配線、
３６…モールド金型、３６Ａ…上型、３６Ｂ…下型、３７…キャビティ、３８…流入ゲート、
３９Ａ，３９Ｂ，３９Ｃ，３９Ｄ，３９Ｅ…カセット治具、
５４…タブ、５５…接着層、
ＬＦ１，ＬＦ２，ＬＦ３，ＬＦ４…リードフレーム。
【図１】
2004158896.tif 000003
【図２】
2004158896.tif 000004
【図３】
2004158896.tif 000005
【図４】
2004158896.tif 000006
【図５】
2004158896.tif 000007
【図６】
2004158896.tif 000008
【図７】
2004158896.tif 000009
【図８】
2004158896.tif 000010
【図９】
2004158896.tif 000011
【図１０】
2004158896.tif 000012
【図１１】
2004158896.tif 000013
【図１２】
2004158896.tif 000014
【図１３】
2004158896.tif 000015
【図１４】
2004158896.tif 000016
【図１５】
2004158896.tif 000017
【図１６】
2004158896.tif 000018
【図１７】
2004158896.tif 000019
【図１８】
2004158896.tif 000020
【図１９】
2004158896.tif 000021
【図２０】
2004158896.tif 000022
【図２１】
2004158896.tif 000023
【図２２】
2004158896.tif 000024
【図２３】
2004158896.tif 000025
【図２４】
2004158896.tif 000026
【図２５】
2004158896.tif 000027
【図２６】
2004158896.tif 000028
【図２７】
2004158896.tif 000029
【図２８】
2004158896.tif 000030
【図２９】
2004158896.tif 000031
【図３０】
2004158896.tif 000032
【図３１】
2004158896.tif 000033
【図３２】
2004158896.tif 000034
【図３３】
2004158896.tif 000035
【図３４】
2004158896.tif 000036
【図３５】
2004158896.tif 000037
【図３６】
2004158896.tif 000038
【図３７】
2004158896.tif 000039
【図３８】
2004158896.tif 000040
【図３９】
2004158896.tif 000041
【図４０】
2004158896.tif 000042
【図４１】
2004158896.tif 000043
【図４２】
2004158896.tif 000044
【図４３】
2004158896.tif 000045
【図４４】
2004158896.tif 000046
【図４５】
2004158896.tif 000047
【図４６】
2004158896.tif 000048
【図４７】
2004158896.tif 000049
【図４８】
2004158896.tif 000050